(57)【要約】【課題】  簡単な操作で所要の処理画像（複数の処理画像）を出力できるようにする。【解決手段】  デジタル複合機のメインコントローラ２０は、操作画面上の１回のキー操作によって指定された入力画像と出力形式の組み合わせに応じて、画像処理部（画像処理手段）であるスキャナ，画像メモリ６６，Ｉ／Ｏポート（ネットワークＩＦ）６７，プロッタ５５０のうち、使用する少なくとも２つの画像処理部を選択すると共に画像転送経路を決定し、その選択した各画像処理部を決定した画像転送経路に基づいて使用することにより所要の処理画像を出力させる。【選択図】        図６
2007049252.tif 000002
【特許請求の範囲】
【請求項１】
複数の画像処理手段を備え、それらを組み合わせて使用することにより所要の処理画像を出力可能な画像処理装置であって、
入力画像を指定する入力画像指定手段と、入力画像の出力形式を指定する出力形式指定手段と、前記入力画像指定手段によって指定された入力画像と前記出力形式指定手段によって指定された出力形式の組み合わせに応じて、使用する少なくとも２つの画像処理手段を選択すると共に画像転送経路を決定する選択決定手段と、該選択決定手段によって選択した各画像処理手段を決定した画像転送経路に基づいて使用することにより所要の処理画像を出力させる制御手段とを設けたことを特徴とする画像処理装置。
【請求項２】
請求項１記載の画像処理装置において、
前記入力画像指定手段によって指定された入力画像と前記出力形式指定手段によって指定された出力形式を示す情報を表示する情報表示手段を設けたことを特徴とする画像処理装置。
【請求項３】
請求項１又は２記載の画像処理装置において、
前記画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を前記外部機器へ送信する画像送信手段とを備え、
前記入力画像指定手段は、前記原稿読取手段によって読み取る原稿の画像，前記画像蓄積手段内の画像，および前記画像受信手段によって受信する画像のうちの１つ又は複数の入力画像を指定する手段であり、
前記出力形式指定手段は、前記印刷出力手段による出力，前記画像蓄積手段による蓄積，および前記画像送信手段による送信のうちの１つ又は複数の出力形式を指定する手段であることを特徴とする画像処理装置。
【請求項４】
請求項３記載の画像処理装置において、
前記画像処理手段として、画像を編集する編集手段を備え、
入力画像に対して編集モードを指定する編集モード指定手段を設け、
前記編集手段は、前記入力画像指定手段によって指定された入力画像に対して前記編集モード指定手段によって指定された編集モードで編集を行う手段であり、
前記選択決定手段は、前記入力画像指定手段によって指定された入力画像と前記出力形式指定手段によって指定された出力形式と前記編集モード指定手段によって指定された編集モードの組み合わせに応じて、使用する少なくとも３つの画像処理手段を選択すると共に画像転送経路を決定することを特徴とする画像処理装置。
【請求項５】
請求項４記載の画像処理装置において、
前記編集手段は、前記入力画像指定手段によって複数の入力画像が指定され、且つ編集モード指定手段によって複数の入力画像を合成するモードが指定された場合に、その指定された各入力画像を同一フォーマットで合成することを特徴とする画像処理装置。
【請求項６】
請求項４又は５記載の画像処理装置において、
前記制御手段は、前記入力画像指定手段によって指定された入力画像を前記画像蓄積手段への蓄積時に前記編集手段によって編集を行わせる前編集制御手段と、前記画像蓄積手段内の画像を前記出力形式指定手段によって指定された出力形式での出力時に前記編集手段によって編集を行わせる後編集制御手段と、前記入力画像指定手段によって指定された入力画像と前記出力形式指定手段によって指定された出力形式と前記編集モード指定手段によって指定された編集モードの組み合わせに応じて前記前編集制御手段あるいは前記後編集制御手段を選択する編集制御選択手段とを有することを特徴とする画像処理装置。
【請求項７】
請求項６記載の画像処理装置において、
前記原稿読取手段は、原稿の画像を光学的に読み取る手段であり、
前記編集手段は、前記原稿読取手段による原稿の画像の読み取り時に該画像を変倍する光学変倍手段と、前記画像蓄積手段内の画像の出力時に該画像を変倍する電気変倍手段とを有し、
前記編集制御選択手段は、前記原稿読取手段によって読み取る原稿の画像が前記入力画像指定手段によって指定され、且つ前記編集モード指定手段によって画像変倍に関するモードが指定され、且つ前記出力形式指定手段によって前記印刷出力手段による出力のみが指定された場合に、前記前編集制御手段を選択することを特徴とする画像処理装置。
【請求項８】
請求項７記載の画像処理装置において、
前記編集制御選択手段は、前記原稿読取手段によって読み取る原稿の画像が前記入力画像指定手段によって指定され、且つ前記編集モード指定手段によって画像変倍に関するモードが指定され、且つ前記出力形式指定手段によって前記画像蓄積手段による蓄積が指定された場合に、前記後編集制御手段を選択することを特徴とする画像処理装置。
【請求項９】
請求項１乃至８のいずれか一項に記載の画像処理装置において、
当該画像処理装置を使用可能な複数のユーザをそれぞれ識別するためのユーザ識別情報を入力するユーザ識別情報入力手段と、複数のユーザ識別情報と前記各画像処理手段毎に使用可／不可を示す制限情報とを対応付けて記憶保持する制限情報記憶手段とを設け、
前記制御手段は、前記識別情報入力手段によってユーザ識別情報が入力された場合に、前記制限情報記憶手段内の該ユーザ識別情報に対応する制限情報を参照して前記各画像処理手段毎の使用可／不可を判別する使用可／不可判別手段と、該使用可／不可判別手段によって使用不可と判別された画像処理手段の使用を禁止する使用禁止手段と、該画像処理手段の使用禁止を報知する報知手段とを有することを特徴とする画像処理装置。
【請求項１０】
請求項１乃至８のいずれか一項に記載の画像処理装置において、
当該画像処理装置を使用可能な複数のユーザをそれぞれ識別するためのユーザ識別情報を入力するユーザ識別情報入力手段と、複数のユーザ識別情報と各編集モード毎に使用可／不可を示す制限情報とを対応付けて記憶保持する制限情報記憶手段とを設け、
前記制御手段は、前記識別情報入力手段によってユーザ識別情報が入力された場合に、前記制限情報記憶手段内の該ユーザ識別情報に対応する制限情報を参照して前記各編集モード毎の使用可／不可を判別する使用可／不可判別手段と、該使用可／不可判別手段によって使用不可と判別された編集モードの使用を禁止する使用禁止手段と、該編集モードの使用禁止を報知する報知手段とを有することを特徴とする画像処理装置。
【請求項１１】
複数の画像処理手段を備え、それらを組み合わせて使用することにより所要の処理画像を出力可能な画像処理装置における画像出力方法であって、
入力画像と出力形式が指定された場合に、それらの組み合わせに応じて使用する少なくとも２つの画像処理手段を選択すると共に画像転送経路を決定し、その選択した各画像処理手段を決定した画像転送経路に基づいて使用することにより所要の処理画像を出力させることを特徴とする画像出力方法。
【請求項１２】
画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を前記外部機器へ送信する画像送信手段とを備え、その各画像処理手段を組み合わせて使用することにより所要の処理画像を出力可能な画像処理装置における画像出力方法であって、
前記原稿読取手段によって読み取る原稿の画像，前記画像蓄積手段内の画像，および前記画像受信手段によって受信する画像のうちの１つ又は複数の入力画像が指定され、且つ前記印刷出力手段による出力，前記画像蓄積手段による蓄積，および前記画像送信手段による送信のうちの１つ又は複数の出力形式が指定された場合に、前記指定された入力画像と出力形式の組み合わせに応じて使用する少なくとも２つの画像処理手段を選択すると共に画像転送経路を決定し、その選択した各画像処理手段を決定した画像転送経路に基づいて使用することにより所要の処理画像を出力させることを特徴とする画像出力方法。
【請求項１３】
請求項１２記載の画像出力方法において、
前記原稿読取手段によって読み取る原稿の画像，前記画像蓄積手段内の画像，および前記画像受信手段によって受信する画像のうちの複数の入力画像が指定され、且つ複数の入力画像を合成するモードが指定された場合に、その指定された各入力画像を同一フォーマットで合成することを特徴とする画像出力方法。
【請求項１４】
複数の画像処理手段を備え、それらを組み合わせて使用することにより所要の処理画像を出力可能な画像処理装置のコンピュータに、入力画像を指定する入力画像指定機能と、入力画像の出力形式を指定する出力形式指定機能と、前記入力画像指定機能によって指定された入力画像と前記出力形式指定機能によって指定された出力形式の組み合わせに応じて、使用する少なくとも２つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラム。
【請求項１５】
請求項１４記載のプログラムにおいて、
前記コンピュータに、前記入力画像指定機能によって指定された入力画像と前記出力形式指定機能によって指定された出力形式を示す情報を表示する情報表示機能をも実現させるためのプログラム。
【請求項１６】
画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を前記外部機器へ送信する画像送信手段とを備え、その各画像処理手段を組み合わせて使用することにより所要の処理画像を出力可能な画像処理装置のコンピュータに、前記原稿読取手段によって読み取る原稿の画像，前記画像蓄積手段内の画像，および前記画像受信手段によって受信する画像のうちの１つ又は複数の入力画像を指定する入力画像指定機能と、前記印刷出力手段による出力，前記画像蓄積手段による蓄積，および前記画像送信手段による送信のうちの１つ又は複数の出力形式を指定する出力形式指定機能と、前記入力画像指定機能によって指定された入力画像と前記出力形式指定機能によって指定された出力形式の組み合わせに応じて、使用する少なくとも２つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラム。
【請求項１７】
請求項１６記載のプログラムにおいて、
前記コンピュータに、前記入力画像指定機能によって指定された入力画像と前記出力形式指定機能によって指定された出力形式を示す情報を表示する情報表示機能をも実現させるためのプログラム。
【請求項１８】
画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を前記外部機器へ送信する画像送信手段と、画像を編集する編集手段とを備え、その各画像処理手段を組み合わせて使用することにより所要の処理画像を出力可能な画像処理装置のコンピュータに、前記原稿読取手段によって読み取る原稿の画像，前記画像蓄積手段内の画像，および前記画像受信手段によって受信する画像のうちの１つ又は複数の入力画像を指定する入力画像指定機能と、前記印刷出力手段による出力，前記画像蓄積手段による蓄積，および前記画像送信手段による送信のうちの１つ又は複数の出力形式を指定する出力形式指定機能と、入力画像に対して編集モードを指定する編集モード指定機能と、前記入力画像指定機能によって指定された入力画像と前記出力形式指定機能によって指定された出力形式と前記編集モード指定機能によって指定された編集モードの組み合わせに応じて、使用する少なくとも３つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラム。
【請求項１９】
請求項１８記載のプログラムにおいて、
前記コンピュータに、前記入力画像指定機能によって指定された入力画像と前記出力形式指定機能によって指定された出力形式と前記編集モード指定機能によって指定された編集モードを示す情報を表示する情報表示機能をも実現させるためのプログラム。
【請求項２０】
請求項１９記載のプログラムにおいて、
前記編集機能は、前記入力画像指定機能によって複数の入力画像が指定され、且つ編集モード指定手段によって複数の入力画像を合成するモードが指定された場合に、その指定された各入力画像を同一フォーマットで合成することを特徴とするプログラム。
【請求項２１】
請求項１８乃至２０のいずれか一項に記載のプログラムにおいて、
前記制御機能に、前記入力画像指定機能によって指定された入力画像を前記画像蓄積手段への蓄積時に前記編集機能によって編集を行わせる前編集制御機能と、前記画像蓄積手段内の画像を前記出力形式指定機能によって指定された出力形式での出力時に前記編集機能によって編集を行わせる後編集制御機能と、前記入力画像指定機能によって指定された入力画像と前記出力形式指定機能によって指定された出力形式と前記編集モード指定機能によって指定された編集モードの組み合わせに応じて前記前編集制御機能あるいは前記後編集制御機能を選択する編集制御選択機能とを備えたことを特徴とするプログラム。
【請求項２２】
請求項２１記載のプログラムにおいて、
前記原稿読取手段は、原稿の画像を光学的に読み取る手段であり、
前記編集機能は、前記原稿読取手段による原稿の画像の読み取り時に該画像を変倍する光学変倍機能と、前記画像蓄積手段内の画像の出力時に該画像を変倍する電気変倍機能とを有し、
前記編集制御選択機能は、前記原稿読取手段によって読み取る原稿の画像が前記入力画像指定機能によって指定され、且つ前記編集モード指定機能によって画像変倍に関するモードが指定され、且つ前記出力形式指定機能によって前記印刷出力手段による出力のみが指定された場合に、前記前編集制御機能を選択することを特徴とするプログラム。
【請求項２３】
請求項２２記載のプログラムにおいて、
前記編集制御選択機能は、前記原稿読取手段によって読み取る原稿の画像が前記入力画像指定機能によって指定され、且つ前記編集モード指定機能によって画像変倍に関するモードが指定され、且つ前記出力形式指定機能によって前記画像蓄積手段による蓄積が指定された場合に、前記後編集制御機能を選択することを特徴とするプログラム。
【請求項２４】
請求項１４乃至２３のいずれか一項に記載のプログラムにおいて、
前記コンピュータに、当該画像処理装置を使用可能な複数のユーザをそれぞれ識別するためのユーザ識別情報を入力するユーザ識別情報入力機能をも実現させるためのプログラムであり、
前記制御機能は、前記識別情報入力機能によってユーザ識別情報が入力された場合に、複数のユーザ識別情報と前記各画像処理手段毎に使用可／不可を示す制限情報とを対応付けて記憶保持する制限情報記憶手段内の前記入力されたユーザ識別情報に対応する制限情報を参照して前記各画像処理手段毎の使用可／不可を判別する使用可／不可判別機能と、該使用可／不可判別機能によって使用不可と判別された画像処理手段の使用を禁止する使用禁止機能と、該画像処理手段の使用禁止を報知する報知機能とを有することを特徴とするプログラム。
【請求項２５】
請求項１４乃至２３のいずれか一項に記載のプログラムにおいて、
前記コンピュータに、当該画像処理装置を使用可能な複数のユーザをそれぞれ識別するためのユーザ識別情報を入力するユーザ識別情報入力機能をも実現させるためのプログラムであり、
前記制御機能は、前記識別情報入力機能によってユーザ識別情報が入力された場合に、複数のユーザ識別情報と各編集モード毎に使用可／不可を示す制限情報とを対応付けて記憶保持する制限情報記憶手段内の前記入力されたユーザ識別情報に対応する制限情報を参照して前記各編集モード毎の使用可／不可を判別する使用可／不可判別機能と、該使用可／不可判別機能によって使用不可と判別された編集モードの使用を禁止する使用禁止機能と、該編集モードの使用禁止を報知する報知機能とを有することを特徴とするプログラム。
【請求項２６】
請求項１４乃至２５のいずれか一項に記載のプログラムを記録したコンピュータ読み取り可能な記録媒体。
【発明の詳細な説明】
【技術分野】
【０００１】
この発明は、コピー機能，プリンタ機能，ＦＡＸ機能，スキャナ機能等の複数の画像出力機能を有するデジタル複合機などの画像処理装置、その画像処理装置における画像出力方法、上記画像処理装置のコンピュータ（ＣＰＵ）に実行させるプログラム、およびそのプログラムを記録したコンピュータ読み取り可能な記録媒体に関する。
【背景技術】
【０００２】
デジタル複合機等の画像処理装置として、複数の画像処理部（画像処理手段）、例えば原稿の画像を読み取るスキャナ部（原稿読取手段）と、外部機器との間で画像の送受信を行う通信部（画像受信手段と画像送信手段とからなる）と、画像を蓄積する記憶部（画像蓄積手段）と、画像を用紙に印刷出力するプリンタ部（印刷出力手段）とを備えたものがある。
【０００３】
このような画像処理装置には、ＣＰＵ（マイクロコンピュータ）を用いた制御手段を備えると共に、例えば図２９に示すように、ひとつのプラットフォーム（ＯＳ等の基本プログラム）８０１上に、コピーアプリケーション８０２，プリンタアプリケーション８０３，ＦＡＸアプリケーション８０４，スキャナアプリケーション８０５等の各アプリケーションを備え、その各アプリケーション８０２〜８０５を操作部上の各機能キーに割り付け、ＣＰＵが、その各アプリケーション８０２〜８０５を操作部上の機能キーの押下によって選択的に実行し、対応する画像処理部を使用することによって所要の処理画像を出力可能にしたものがある（例えば特許文献１参照）。
【特許文献１】特開２００４−２９７７９２号公報
【０００４】
なお、アプリケーションとは、アプリケーション・ソフトウェア又はアプリケーション・プログラムのことを指す。このアプリケーションは、ユーザインタフェースを行う部分で、ユーザに提供する機能を実現するためのものである。
【発明の開示】
【発明が解決しようとする課題】
【０００５】
しかしながら、上述した従来の画像処理装置では、各アプリケーションが相互に連携していなかったため、各アプリケーションの実行による所要の処理画像（複数の処理画像）の出力を簡単な操作で実現することはできなかった。
すなわち、従来の操作部は、例えば図３０に示すように、液晶タッチパネル９０１，テンキー９０２，スタートキー９０３の他に、画像出力機能であるコピー機能，ドキュメントボックス機能，プリンタ機能，ＦＡＸ機能，スキャナ機能にそれぞれ対応するコピーキー９０４，ドキュメントボックスキー９０５，プリンタキー９０６，ＦＡＸキー９０７，スキャナキー９０８を備えているため、複数の画像出力機能にそれぞれ対応する各アプリケーションを実行することにより対応する各画像処理部を使用して所要の処理画像を出力させる場合には、煩わしい操作を行う必要がある。
【０００６】
例えば、原稿画像の用紙へのコピーとＰＣ（パーソナルコンピュータ）への配信の両方を実行する場合には、ＣＰＵがコピーアプリケーションとスキャナアプリケーションを別々に実行してスキャナ部，プリンタ部，ネット配信部（通信部）を使用する必要があるが、ユーザはそれらのアプリケーションを実行するために、それらのアプリケーションにそれぞれ対応するキー操作を操作部上で別々に行う必要がある。
【０００７】
そのキー操作についてもう少し詳しく説明すると、図３１に示すように、原稿をコンタクトガラス上にセットし、図３０のコピーキー９０４を押下してコピーモードを設定し（このとき液晶タッチパネル９０１にコピー機能に対応する画面が表示されるため、必要に応じてコピー条件を設定する）、最後にスタートキー９０３を押下することにより、コピー処理（原稿の画像を読み取って用紙に印刷する処理）を行わせる。そして、そのコピー処理が終了した後、再び原稿をコンタクトガラス上にセットし、スキャナキー９０８を押下してスキャナモードを設定し（このとき液晶タッチパネル９０１にスキャナ機能に対応する画面が表示されるため、必要に応じて読み取り条件や配信先を設定する）、最後にスタートキー９０３を押下することにより、スキャナ配信処理（原稿の画像を読み取ってＰＣへ配信する処理）を行わせる。
【０００８】
このように、複数のアプリケーションを実行してそれらに対応する各画像処理部を使用することにより所要の処理画像（複数の処理画像）を出力させる場合、通常はそれらのアプリケーションにそれぞれ対応するキー操作をユーザが別々に行わなければならない。また、ユーザは、所要の処理画像を出力させる場合、どのアプリケーションを実行させるか把握する必要があるが、すぐに把握できない場合がある。よって、非常に使い勝手が悪いという問題があった。
この発明は、上記の点に鑑みてなされたものであり、簡単な操作で所要の処理画像（複数の処理画像）を出力できるようにすることを目的とする。
【課題を解決するための手段】
【０００９】
この発明は、上記の目的を達成するため、画像処理装置、その画像処理装置における画像出力方法、上記画像処理装置のコンピュータに実行させるプログラム、およびそのプログラムを記録したコンピュータ読み取り可能な記録媒体を提供する。
請求項１の発明による画像処理装置は、複数の画像処理手段を備え、それらを組み合わせて使用することにより所要の処理画像を出力可能な画像処理装置であって、入力画像を指定する入力画像指定手段と、入力画像の出力形式を指定する出力形式指定手段と、上記入力画像指定手段によって指定された入力画像と上記出力形式指定手段によって指定された出力形式の組み合わせに応じて、使用する少なくとも２つの画像処理手段を選択すると共に画像転送経路を決定する選択決定手段と、該選択決定手段によって選択した各画像処理手段を決定した画像転送経路に基づいて使用することにより所要の処理画像を出力させる制御手段とを設けたものである。
【００１０】
請求項２の発明による画像処理装置は、請求項１の画像処理装置において、上記入力画像指定手段によって指定された入力画像と上記出力形式指定手段によって指定された出力形式を示す情報を表示する情報表示手段を設けたものである。
請求項３の発明による画像処理装置は、請求項１又は２の画像処理装置において、上記画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を上記外部機器へ送信する画像送信手段とを備え、上記入力画像指定手段を、上記原稿読取手段によって読み取る原稿の画像，上記画像蓄積手段内の画像，および上記画像受信手段によって受信する画像のうちの１つ又は複数の入力画像を指定する手段とし、上記出力形式指定手段を、上記印刷出力手段による出力，上記画像蓄積手段による蓄積，および上記画像送信手段による送信のうちの１つ又は複数の出力形式を指定する手段としたものである。
【００１１】
請求項４の発明による画像処理装置は、請求項３の画像処理装置において、上記画像処理手段として、画像を編集する画像編集手段を備え、入力画像に対して編集モードを指定する編集モード指定手段を設け、上記編集手段を、上記入力画像指定手段によって指定された入力画像に対して上記編集モード指定手段によって指定された編集モードで編集を行う手段とし、上記選択決定手段が、上記入力画像指定手段によって指定された入力画像と上記出力形式指定手段によって指定された出力形式と上記編集モード指定手段によって指定された編集モードの組み合わせに応じて、使用する少なくとも３つの画像処理手段を選択すると共に画像転送経路を決定するものである。
請求項５の発明による画像処理装置は、請求項４の画像処理装置において、上記編集手段が、上記入力画像指定手段によって複数の入力画像が指定され、且つ編集モード指定手段によって複数の入力画像を合成するモードが指定された場合に、その指定された各入力画像を同一フォーマットで合成するものである。
【００１２】
請求項６の発明による画像処理装置は、請求項４又は５の画像処理装置において、上記制御手段に、上記入力画像指定手段によって指定された入力画像を上記画像蓄積手段への蓄積時に上記編集手段によって編集を行わせる前編集制御手段と、上記画像蓄積手段内の画像を上記出力形式指定手段によって指定された出力形式での出力時に上記編集手段によって編集を行わせる後編集制御手段と、上記入力画像指定手段によって指定された入力画像と上記出力形式指定手段によって指定された出力形式と上記編集モード指定手段によって指定された編集モードの組み合わせに応じて上記前編集制御手段あるいは上記後編集制御手段を選択する編集制御選択手段とを備えたものである。
【００１３】
請求項７の発明による画像処理装置は、請求項６の画像処理装置において、上記原稿読取手段を、原稿の画像を光学的に読み取る手段とし、上記編集手段に、上記原稿読取手段による原稿の画像の読み取り時に該画像を変倍する光学変倍手段と、上記画像蓄積手段内の画像の出力時に該画像を変倍する電気変倍手段とを備え、上記編集制御選択手段が、上記原稿読取手段によって読み取る原稿の画像が上記入力画像指定手段によって指定され、且つ上記編集モード指定手段によって画像変倍に関するモードが指定され、且つ上記出力形式指定手段によって上記印刷出力手段による出力のみが指定された場合に、上記前編集制御手段を選択するものである。
【００１４】
請求項８の発明による画像処理装置は、請求項７の画像処理装置において、上記編集制御選択手段が、上記原稿読取手段によって読み取る原稿の画像が上記入力画像指定手段によって指定され、且つ上記編集モード指定手段によって画像変倍に関するモードが指定され、且つ上記出力形式指定手段によって上記画像蓄積手段による蓄積が指定された場合に、上記後編集制御手段を選択するものである。
【００１５】
請求項９の発明による画像処理装置は、請求項１〜８のいずれかの画像処理装置において、当該画像処理装置を使用可能な複数のユーザをそれぞれ識別するためのユーザ識別情報を入力するユーザ識別情報入力手段と、複数のユーザ識別情報と上記各画像処理手段毎に使用可／不可を示す制限情報とを対応付けて記憶保持する制限情報記憶手段とを設け、上記制御手段に、上記識別情報入力手段によってユーザ識別情報が入力された場合に、上記制限情報記憶手段内の該ユーザ識別情報に対応する制限情報を参照して上記各画像処理手段毎の使用可／不可を判別する使用可／不可判別手段と、該使用可／不可判別手段によって使用不可と判別された画像処理手段の使用を禁止する使用禁止手段と、該画像処理手段の使用禁止を報知する報知手段とを備えたものである。
【００１６】
請求項１０の発明による画像処理装置は、請求項１〜８のいずれかの画像処理装置において、当該画像処理装置を使用可能な複数のユーザをそれぞれ識別するためのユーザ識別情報を入力するユーザ識別情報入力手段と、複数のユーザ識別情報と各編集モード毎に使用可／不可を示す制限情報とを対応付けて記憶保持する制限情報記憶手段とを設け、上記制御手段に、上記識別情報入力手段によってユーザ識別情報が入力された場合に、上記制限情報記憶手段内の該ユーザ識別情報に対応する制限情報を参照して上記各編集モード毎の使用可／不可を判別する使用可／不可判別手段と、該使用可／不可判別手段によって使用不可と判別された編集モードの使用を禁止する使用禁止手段と、該編集モードの使用禁止を報知する報知手段とを備えたものである。
【００１７】
請求項１１の発明による画像出力方法は、複数の画像処理手段を備え、それらを組み合わせて使用することにより所要の処理画像を出力可能な画像処理装置における画像出力方法であって、入力画像と出力形式が指定された場合に、それらの組み合わせに応じて使用する少なくとも２つの画像処理手段を選択すると共に画像転送経路を決定し、その選択した各画像処理手段を決定した画像転送経路に基づいて使用することにより所要の処理画像を出力させるものである。
【００１８】
請求項１２の発明による画像出力方法は、画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を上記外部機器へ送信する画像送信手段とを備え、その各画像処理手段を組み合わせて使用することにより所要の処理画像を出力可能な画像処理装置における画像出力方法であって、
上記原稿読取手段によって読み取る原稿の画像，上記画像蓄積手段内の画像，および上記画像受信手段によって受信する画像のうちの１つ又は複数の入力画像が指定され、且つ上記印刷出力手段による出力，上記画像蓄積手段による蓄積，および上記画像送信手段による送信のうちの１つ又は複数の出力形式が指定された場合に、上記指定された入力画像と出力形式の組み合わせに応じて使用する少なくとも２つの画像処理手段を選択すると共に画像転送経路を決定し、その選択した各画像処理手段を決定した画像転送経路に基づいて使用することにより所要の処理画像を出力させるものである。
【００１９】
請求項１３の発明による画像出力方法は、請求項１２の画像出力方法において、上記原稿読取手段によって読み取る原稿の画像，上記画像蓄積手段内の画像，および上記画像受信手段によって受信する画像のうちの複数の入力画像が指定され、且つ複数の入力画像を合成するモードが指定された場合に、その指定された各入力画像を同一フォーマットで合成するものである。
【００２０】
請求項１４の発明によるプログラムは、複数の画像処理手段を備え、それらを組み合わせて使用することにより所要の処理画像を出力可能な画像処理装置のコンピュータに、入力画像を指定する入力画像指定機能と、入力画像の出力形式を指定する出力形式指定機能と、上記入力画像指定機能によって指定された入力画像と上記出力形式指定機能によって指定された出力形式の組み合わせに応じて、使用する少なくとも２つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラムである。
請求項１５の発明によるプログラムは、請求項１４のプログラムにおいて、上記コンピュータに、上記入力画像指定機能によって指定された入力画像と上記出力形式指定機能によって指定された出力形式を示す情報を表示する情報表示機能をも実現させるためのプログラムである。
【００２１】
請求項１６の発明によるプログラムは、画像処理手段として、原稿の画像を読み取る原稿読取手段と、外部機器から画像を受信する画像受信手段と、画像を蓄積する画像蓄積手段と、画像を用紙に印刷して出力する印刷出力手段と、画像を上記外部機器へ送信する画像送信手段とを備え、その各画像処理手段を組み合わせて使用することにより所要の処理画像を出力可能な画像処理装置のコンピュータに、上記原稿読取手段によって読み取る原稿の画像，上記画像蓄積手段内の画像，および上記画像受信手段によって受信する画像のうちの１つ又は複数の入力画像を指定する入力画像指定機能と、上記印刷出力手段による出力，上記画像蓄積手段による蓄積，および上記画像送信手段による送信のうちの１つ又は複数の出力形式を指定する出力形式指定機能と、上記入力画像指定機能によって指定された入力画像と上記出力形式指定機能によって指定された出力形式の組み合わせに応じて、使用する少なくとも２つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラムである。
【００２２】
請求項１７の発明によるプログラムは、請求項１６のプログラムにおいて、上記コンピュータに、上記入力画像指定機能によって指定された入力画像と上記出力形式指定機能によって指定された出力形式を示す情報を表示する情報表示機能をも実現させるためのプログラムである。
【００２３】
請求項１８の発明によるプログラムは、原稿の画像を読み取る原稿読取手段と、外部機器から画像を受信する画像受信手段と、画像を蓄積する画像蓄積手段と、画像を用紙に印刷して出力する印刷出力手段と、画像を上記外部機器へ送信する画像送信手段と、画像を編集する編集手段とを備え、その各画像処理手段を組み合わせて使用することにより所要の処理画像を出力可能な画像処理装置のコンピュータに、上記原稿読取手段によって読み取る原稿の画像，上記画像蓄積手段内の画像，および上記画像受信手段によって受信する画像のうちの１つ又は複数の入力画像を指定する入力画像指定機能と、上記印刷出力手段による出力，上記画像蓄積手段による蓄積，および上記画像送信手段による送信のうちの１つ又は複数の出力形式を指定する出力形式指定機能と、入力画像に対して編集モードを指定する編集モード指定機能と、上記入力画像指定機能によって指定された入力画像と上記出力形式指定機能によって指定された出力形式と上記編集モード指定機能によって指定された編集モードの組み合わせに応じて、使用する少なくとも２つの画像処理手段を選択すると共に画像転送経路を決定する選択決定機能と、該選択決定機能によって選択した各画像処理手段を決定した画像転送経路に基づいて使用することにより所要の処理画像を出力させる制御機能とを実現させるためのプログラムである。
【００２４】
請求項１９の発明によるプログラムは、請求項１８のプログラムにおいて、上記コンピュータに、上記入力画像指定機能によって指定された入力画像と上記出力形式指定機能によって指定された出力形式と上記編集モード指定機能によって指定された編集モードを示す情報を表示する情報表示機能をも実現させるためのプログラムである。
請求項２０の発明によるプログラムは、請求項１９のプログラムにおいて、上記編集機能が、上記入力画像指定機能によって複数の入力画像が指定され、且つ編集モード指定手段によって複数の入力画像を合成するモードが指定された場合に、その指定された各入力画像を同一フォーマットで合成するものである。
【００２５】
請求項２１の発明によるプログラムは、請求項１８〜２０のいずれかのプログラムにおいて、上記制御機能に、上記入力画像指定機能によって指定された入力画像を上記画像蓄積手段への蓄積時に上記編集機能によって編集を行わせる前編集制御機能と、上記画像蓄積手段内の画像を上記出力形式指定機能によって指定された出力形式での出力時に上記編集機能によって編集を行わせる後編集制御機能と、上記入力画像指定機能によって指定された入力画像と上記出力形式指定機能によって指定された出力形式と上記編集モード指定機能によって指定された編集モードの組み合わせに応じて上記前編集制御機能あるいは上記後編集制御機能を選択する編集制御選択機能とを備えたものである。
【００２６】
請求項２２の発明によるプログラムは、請求項２１のプログラムにおいて、上記原稿読取手段を、原稿の画像を光学的に読み取る手段とし、上記編集機能に、上記原稿読取手段による原稿の画像の読み取り時に該画像を変倍する光学変倍機能と、上記画像蓄積手段内の画像の出力時に該画像を変倍する電気変倍機能とを備え、上記編集制御選択機能が、上記原稿読取手段によって読み取る原稿の画像が上記入力画像指定機能によって指定され、且つ上記編集モード指定機能によって画像変倍に関するモードが指定され、且つ上記出力形式指定機能によって上記印刷出力手段による出力のみが指定された場合に、上記前編集制御機能を選択するものである。
【００２７】
請求項２３の発明によるプログラムは、請求項２２のプログラムにおいて、上記編集制御選択機能が、上記原稿読取手段によって読み取る原稿の画像が上記入力画像指定機能によって指定され、且つ上記編集モード指定機能によって画像変倍に関するモードが指定され、且つ上記出力形式指定機能によって上記画像蓄積手段による蓄積が指定された場合に、上記後編集制御機能を選択するものである。
【００２８】
請求項２４の発明によるプログラムは、請求項１４〜２３のいずれかのプログラムにおいて、上記コンピュータに、当該画像処理装置を使用可能な複数のユーザをそれぞれ識別するためのユーザ識別情報を入力するユーザ識別情報入力機能をも実現させるためのプログラムであり、上記制御機能に、上記識別情報入力機能によってユーザ識別情報が入力された場合に、複数のユーザ識別情報と上記各画像処理手段毎に使用可／不可を示す制限情報とを対応付けて記憶保持する制限情報記憶手段内の上記入力されたユーザ識別情報に対応する制限情報を参照して上記各画像処理手段毎の使用可／不可を判別する使用可／不可判別機能と、該使用可／不可判別機能によって使用不可と判別された画像処理手段の使用を禁止する使用禁止機能と、該画像処理手段の使用禁止を報知する報知機能とを備えたものである。
【００２９】
請求項２５の発明によるプログラムは、請求項１４〜２３のいずれかのプログラムにおいて、上記コンピュータに、当該画像処理装置を使用可能な複数のユーザをそれぞれ識別するためのユーザ識別情報を入力するユーザ識別情報入力機能をも実現させるためのプログラムであり、上記制御機能に、上記識別情報入力機能によってユーザ識別情報が入力された場合に、複数のユーザ識別情報と各編集モード毎に使用可／不可を示す制限情報とを対応付けて記憶保持する制限情報記憶手段内の上記入力されたユーザ識別情報に対応する制限情報を参照して上記各編集モード毎の使用可／不可を判別する使用可／不可判別機能と、該使用可／不可判別機能によって使用不可と判別された編集モードの使用を禁止する使用禁止機能と、該編集モードの使用禁止を報知する報知機能とを備えたものである。
請求項２６の発明による記録媒体プログラムは、請求項１４〜２５のいずれかのプログラムを記録したコンピュータ読み取り可能な記録媒体記録媒体である。
【発明の効果】
【００３０】
この発明によれば、ユーザが１回の操作で入力画像と出力形式を指定することにより、画像処理装置が、その指定された入力画像と出力形式の組み合わせに応じて、使用する少なくとも２つの画像処理手段を選択すると共に画像転送経路を決定し、その選択した各画像処理手段を決定した画像転送経路に基づいて使用することにより所要の処理画像を出力させる。
例えば、入力画像として原稿画像（原稿読取手段によって読み取る原稿の画像）が指定され、且つ出力形式として印刷出力（印刷出力手段による出力）および送信（画像送信手段による送信）が指定された場合に、画像処理手段として原稿読取手段，印刷出力手段，および画像送信手段を選択すると共に画像転送経路を決定し、原稿読取手段により原稿の画像を読み取り、その原稿画像を印刷出力手段によって出力させる処理（コピー機能）と、その原稿画像を画像送信手段によって外部機器へ送信させる処理（ＦＡＸ機能又はメール配信機能）とを平行して行わせる。
【００３１】
あるいは、入力画像として原稿画像が指定され、且つ出力形式として印刷出力および蓄積（画像蓄積手段による蓄積）が指定された場合に、画像処理手段として原稿読取手段，印刷出力手段，および画像蓄積手段を選択すると共に画像転送経路を決定し、原稿読取手段により原稿の画像を読み取り、その原稿画像を印刷出力手段によって出力させる処理（コピー機能）と、その原稿画像を画像蓄積手段に蓄積させる処理（スキャナ機能）とを平行して行わせる。
【００３２】
このように、ユーザが簡単な操作を１回行うだけで画像処理装置から所要の処理画像（複数の処理画像）を出力させることができる。また、原稿画像を画像蓄積手段に蓄積させた場合、その後ユーザが入力画像として蓄積画像（画像蓄積手段内の画像）を指定し、出力形式として印刷出力を指定することにより、画像処理装置が、画像蓄積手段および印刷出力手段を選択すると共に画像転送経路を決定し、画像蓄積手段内の画像を印刷出力手段によって出力させるため、一度印刷出力した原稿画像を原稿読取手段によって再度読み取らせる必要がなくなり、業務効率の向上につながる。
【発明を実施するための最良の形態】
【００３３】
以下、この発明を実施するための最良の形態を図面に基づいて具体的に説明する。なお、この実施形態では画像処理装置としてコピー機能，プリンタ機能，ＦＡＸ機能，メール配信機能，およびスキャナ機能を備えたデジタル複合機（ＭＦＰ）を用いた例について説明する。
【００３４】
〔ネットワーク環境の例〕
まず、この発明による画像処理装置であるデジタル複合機を使用するネットワーク環境について、図１を参照して説明する。
図１は、そのネットワーク環境の一例を示す図である。
このデジタル複合機１は、ハードディスクＨＤを内蔵しており、ローカルエリアネットワーク（ＬＡＮ）等のネットークＮを介して、複数のクライアント端末であるパーソナルコンピュータ（ＰＣ）Ａ，Ｂ、サーバＳおよびファックスＦと通信するためのモデムＭからなる配信サーバＣ、簡易メール転送（ＳＭＰ）サーバＤ、ファイル転送（ＦＴＰ）サーバＥ等の様々な外部機器と接続されている。
【００３５】
〔デジタル複合機の機構部の構成例〕
図２は、この発明に使用する画像処理装置であるデジタル複合機の機構部の構成例を示す図である。
このデジタル複合機１は、装置本体１Ａとその上部に搭載された自動原稿送り装置（以下「ＡＤＦ」と略称する）１Ｂと、排紙口のある側面に取り付けられたフィニッシャ１Ｃとによって構成されている。
【００３６】
ここで、このデジタル複合機１の構成を、その主たる機能である複写機能（コピー機能）時の動作によって説明する。ＡＤＦ１Ｂの原稿台２に原稿の画像面を上にして置かれた原稿束は、操作部上のプリントキーが押下されると、一番下の原稿から給送ローラ３、給送ベルト４によってコンタクトガラス６上の所定位置に給送される。こうして、１枚の原稿の給送を完了すると、原稿枚数をカウントアップするカウント機能も有している。
【００３７】
コンタクトガラス６上の所定位置に給送された原稿は、スキャナ（原稿読取手段）５０によって、コンタクトガラス６側の面の画像が読み取られた後、その読み取りが終了した原稿は、給送ベルト４および排送ローラ５によって排出される。なお、給送ローラ３、給送ベルト４、および排送ローラ５は、図２には示していない搬送モータによって駆動される。１枚の原稿の画像読み取りが終了する毎に、原稿セット検知センサ７によって原稿台２上に次の原稿が有るか無いかを検知し、あれば次の原稿を前の原稿と同様にコンタクトガラス６上に給送し、以後上述した動作を繰り返す。
【００３８】
スキャナ５０は、原稿を載置するコンタクトガラス６と光学走査系で構成されており、光学走査系には、露光ランプ５１、第１ミラー５２、第２ミラー５５、第３ミラー５６、レンズ５３、およびＣＣＤイメージセンサ５４等々で構成されている。露光ランプ５１と第１ミラー５２は図示しない第１キャリッジ上に固定され、第２ミラー５５と第３ミラー５６は図示しない第２キャリッジ上に固定されている。
原稿像を読み取るときには、光路長が変わらないように、第１キャリッジと第２キャリッジとが２対１の相対速度で機械的に走査される。
【００３９】
この光学走査系は、図示しないスキャナ駆動モータによって駆動される。コンタクトガラス６上にセットされた原稿の画像は、ＣＣＤイメージセンサ５４によって読み取られ、電気信号に変換されて処理される。すなわち、光学走査系の露光ランプ５１によって原稿の画像面を照明し、その画像面からの反射光像を第１ミラー５２，第２ミラー５５，第３ミラー５６，およびレンズ５３を介してＣＣＤイメージセンサ５４の受光面に結像させ、そのＣＣＤイメージセンサ５４によって電気信号に変換する。
このとき、レンズ５３とＣＣＤイメージセンサ５４を図２の左右方向に移動させることにより、原稿の給送方向の画像読み取り倍率が変わる。つまり、予め設定された画像読み取り倍率に対応してレンズ５３およびＣＣＤイメージセンサ５４の左右方向の位置が設定される。
【００４０】
このスキャナ５０によって読み取られた原稿の画像データ（画像情報）は、プロッタ（印刷出力手段）を構成する書き込みユニット５７により変調されたレーザ光によって感光体１５上に書き込まれる。その書き込みユニット５７は、レーザ出力ユニット５８、結像レンズ５９、およびミラー６０で構成され、レーザ出力ユニット５８の内部には、レーザ光源であるレーザダイオードおよびモータによって高速で定速回転する多角形ミラー（ポリゴンミラー）が設けられている。この書き込みユニット５７から出力されるレーザ光が、図示していない帯電ユニットによって表面が一様に帯電され、矢示方向に回転するドラム状の感光体１５の表面に照射され、そこに静電潜像を形成する。
【００４１】
一方、装置本体１Ａ内の下部には第１トレイ８、第２トレイ９、第３トレイ１０が多段に配設されており、そこにそれぞれ収納された転写紙が、各々第１給紙装置１１、第２給紙装置１２、第３給紙装置１３によって給紙され、縦搬送ユニット１４によってドラム状の感光体１５に当接する位置まで搬送される。但し、実際には各給紙トレイ８〜１０のうちのいずれかが選択され、その選択された給紙トレイからのみ転写紙が給紙される。
【００４２】
ここで、第１トレイ８、第２トレイ９、第３トレイ１０はいずれも通常の転写紙（用紙）以外にインデックス紙をセット（収納）可能な給紙トレイであり、これらの近傍にはそれぞれ、通常の転写紙又はインデックス紙等の用紙がセットされた場合に、それを検知する図示しない紙セット検知センサが配設されている。なお、給紙トレイそのもの、又は給紙トレイと給紙装置との組み合わせを給紙段（給紙部）という。
【００４３】
前述のようにして感光体１５上に形成された静電潜像は、現像ユニット２７を通過することによって現像され、感光体１５上にトナー画像が形成される。そして、縦搬送ユニット１４によって給紙された転写紙は、感光体１５の回転と等速で搬送ベルト１６によって搬送されながら、感光体１５上のトナー画像が転写される。その後、定着ユニット１７を通ってそのトナー画像が定着され、コピー済み転写紙として排紙ユニット１８によって後処理装置のフィニッシャ１Ｃに排出される。
【００４４】
このとき、例えばフェースダウン（転写紙をページ順に揃えるため画像面を下向きにする）排紙のために、一方の面にトナー画像が形成された転写紙を反転したい場合は、排紙ユニット１８における図示しない分岐爪の切り換えにより、その転写紙を両面入紙搬送路１１３を通して反転ユニット１１２へ搬送して表裏を反転させ、その後スイッチバック搬送して反転排紙搬送路１１４を通してフィニッシャ１Ｃへ排出する。
フィニッシャ１Ｃは、装置本体１Ａの排紙ユニット１８によって搬送されてきたコピー済み転写紙を、通常排紙部方向とステープル処理部方向へ選択的に導くために切換板１０１を設けている。その切換板１０１を上向きに切り換えることにより、コピー済み転写紙を排紙搬送ローラ１０２，１０３を経由して通常の排紙トレイ１０４上に排紙することができる。また、切換板１０１を下向きに切り換えると、コピー済み転写紙をステープラ搬送ローラ１０５，１０７を経由して、ステープル台１０８上に搬送することができる。
【００４５】
ステープル台１０８上に積載されたコピー済み転写紙は、一枚排紙されるごとに紙揃え用のジョガー１０９（落下ストッパを兼ねている）によって紙端面が揃えられ、一部のコピー（一連の複数枚のコピー）が完了するとステープラ１０６によって綴じられる。ステープラ１０６で綴じられたコピー済み転写紙群は、自重によってステープル完了排紙トレイ１１０上に落下し、そこに収納される。
一方、通常の排紙トレイ１０４は前後に移動可能な排紙トレイであり、原稿毎あるいは、後述する画像メモリによってソーティングされたコピー部毎に前後に移動し、排出されてくるコピー済み転写紙を簡易的に仕分けることができる。
【００４６】
転写紙の両面に画像を作像する両面コピーモードの場合には、装置本体１Ａにおいて給紙トレイ８〜１０のいずれかから給紙され、一方の面に作像された転写紙（片面コピー済みの転写紙）を、排紙ユニット１８内の図示しない分岐爪の切り換えによって、両面入紙搬送路１１３を通して反転ユニット１１２に搬送して表裏を反転し、その後スイッチバック搬送して両面搬送ユニット１１１に送り込んで再び表裏を反転する。
【００４７】
両面搬送ユニット１１１に送られた転写紙は、再び感光体１５に作像されたトナー画像を転写するために、両面搬送ユニット１１１から再給紙され、再度縦搬送ユニット１４によって感光体１５に当接する位置まで搬送されて、他方の面にトナー画像が転写される。その後、定着ユニット１７によってそのトナー画像が定着され、排紙ユニット１８によってフィニッシャ１Ｃに排出される。以後、フィニッシャ１Ｃによって上述と同様の動作が行われ、１枚ごとに通常排紙されるか、あるいは一部ごとにステープルで綴じられる。このように、転写紙の両面に画像を作成する場合に両面搬送ユニット１１１が使用される。
【００４８】
なお、トナー画像が形成された転写紙の裏面に後述する印字を行う際にも、両面搬送ユニット１１１を用いて転写紙の表裏を変更する。
感光体１５、搬送ベルト１６、定着ユニット１７、排紙ユニット１８、現像ユニット２７は、図２には示していないメインモータによって駆動され、各給紙装置１１〜１３はそのメインモータの駆動を各々給紙クラッチによって伝達駆動される。縦搬送ユニット１４はメインモータの駆動を中間クラッチによって伝達駆動される。これらについては図４によって後述する。
【００４９】
〔操作部の構成および表示例〕
図３は、このデジタル複合機１の操作部の構成例を示すレイアウト図である。
この操作部３０には、液晶タッチパネル３１，テンキー３２，およびスタートキー３３が設けられている。
液晶タッチパネル３１には、後述する各種の機能キーや、セットされた部数、およびデジタル複合機の状態を示すメッセージなどが表示される。各機能キーは、それぞれ押下されると、白黒表示が反転する。
テンキー３２は、印刷部数（コピー枚数）やコピー倍率等の数値を入力するためのキーである。
【００５０】
ここで、液晶タッチパネル３１に表示されるこの発明に係わる操作画面について簡単に説明する。
液晶タッチパネル３１には、このデジタル複合機１の電源投入時等の所定タイミング時に入力画像指定部３１０と出力形式指定部３２０からなる操作画面が表示される。
入力画像指定部３１０は、入力画像である原稿画像，蓄積画像，受信画像をそれぞれ指定するための原稿画像キー３１１，蓄積画像キー３１２，受信画像キー３１３からなる。
出力形式指定部３２０は、入力画像の出力形式である印刷，蓄積，送信をそれぞれ指定するための印刷キー３２１，蓄積キー３２２，送信キー３２３からなる。
【００５１】
原稿画像３１１キーは、原稿上の文書又は図面等の画像である原稿画像を指定するためのものである。
蓄積画像キー３１２は、画像メモリ６６内の文書又は図面等の画像データである蓄積画像を指定するためのものである。
受信画像キー３１３は、図１のパーソナルコンピュータ（以下「パソコン」と略称する）Ａ，Ｂや配信サーバＣ等の外部機器から受信する画像である受信画像を指定するためのものである。
印刷キー３２１は、印刷出力を指定するためのものである。
蓄積キー３２２は、蓄積を指定するためのものである。
送信キー３２３は、送信（配信）を指定するためのものである。
【００５２】
〔制御系の構成例〕
次に、このデジタル複合機１の制御系の構成について、図４および図５によって説明する。
図４は、その制御系の概略構成を示すブロック図である。
メインコントローラ２０は、このデジタル複合機１全体を制御する制御部であり、中央処理装置であるＣＰＵ（コンピュータ）２０１、プログラムメモリであるＲＯＭ２０２、データメモリであるＲＡＭ２０３、外部と接続するための各種インターフェイス回路（ＩＦ）２０４〜２０７と、それらを接続するＣＰＵバス２０８等から構成されている。なお、ＩＦ２０７にはモータやクラッチを駆動するためのドライブ回路も含まれている。
【００５３】
このメインコントローラ２０には、オペレータ（ユーザ）に対する表示やオペレータによるキー入力（機能設定入力等）を行なう前述した操作部３０、スキャナ５０の駆動部の制御や画像メモリ等の画像記憶装置に対する画像データの読み書き制御等を行なう画像処理ユニット（ＩＰＵ）４０、および原稿の給排送動作を行なうＡＤＦ１Ｂ等の分散制御装置が接続されている。なお、前述したフィニッシャ１Ｃも接続されるが、図示を省略している。その各分散制御装置とメインコントローラ２０は、必要に応じて機械の状態を示す情報や動作指令のやりとりを行なっている。また、メインコントローラ２０には紙搬送等に必要なメインモータ２５と中間クラッチ２１および第１〜第３給紙クラッチ２２〜２４も接続され、それらはメインコントローラ２０によって直接駆動制御される。
【００５４】
前述したように、図２に示した感光体１５，搬送ベルト１６，定着ユニット１７，排紙ユニット１８，現像ユニット２７は、メインモータ２５によって駆動され、各給紙装置１１〜１３は、メインモータ２５の駆動力が各々給紙クラッチ２２〜２４によって伝達されて駆動される。縦搬送ユニット１４は、メインモータ２５の駆動力が中間クラッチ２１によって伝達されて駆動される。
操作部３０には、前述した液晶タッチパネル３１，テンキー３２，およびスタートキー３３等が設けられており、ＡＤＦ１Ｂには、原稿を搬送する部分を駆動する搬送モータ２６と原稿のセット状態を検知する原稿セット検知センサ７が設けられている。
【００５５】
図５は、図４のＲＯＭ２０２内のプログラム（ソフトウェア）の要部構成例を示すブロック図である。
ＲＯＭ２０２内のプログラムは、プラットフォーム（基本プログラム）５０１上に、コピー機能，プリンタ機能，ＦＡＸ機能，メール配信機能，スキャナ機能を実現するためのアプリケーション５０２を含む各種のプログラムを備えている。
【００５６】
ここで、メインコントローラ２０内のＣＰＵ２０１が、ＲＯＭ２０２内のこの発明によるプログラムを実行し、その際に前述した液晶タッチパネル３１および画像処理ユニット（ＩＰＵ）４０等を使用することにより、この発明による機能である入力画像指定手段，出力形式指定手段，選択決定手段，制御手段（編集手段，前編集制御手段，後編集制御手段，編集制御選択手段），情報表示手段，編集モード指定手段，使用可／不可判別手段，使用禁止手段，報知手段），およびユーザ識別情報入力手段としての機能を果たすことができる。
【００５７】
図６は、画像処理ユニット（ＩＰＵ）４０の内部構成を示すブロック図である。
このＩＰＵ４０内には、画像処理を行なうためのＡ／Ｄコンバータ６１、シェーディング補正部６２、およびＭＴＦ・γ補正部６３と、画像データを格納するための画像蓄積手段である画像メモリ６６とハードディスク（ＨＤ）７５、およびそれらを制御する画像メモリコントローラ６５が設けられている。また、画像データを印刷するために、印字合成部７１、印字イメージデータ発生装置（印字ユニット）７６、および変倍回路７７が設けられている。そして、ＭＴＦ・γ補正部６３と印字合成部７１と画像メモリコントローラ６５との間に、画像データの送出先を切り換えるセレクタ６４が設けられている。
【００５８】
ＣＣＤイメージセンサ５４は、図２に示したスキャナ５０内に設けられており、プロッタ５５０内の書き込みユニット５７も図２に示したレーザ光によって感光体１５に画像を書き込むためのユニットであり、ＩＰＵ４０内に設けられてはいないが、説明の便宜上、図６に一緒に示している。
さらに、このＩＰＵ４０内には、上述した各部を統括制御する中央処理装置であるＣＰＵ６８、プログラムメモリであるＲＯＭ６９、データメモリであるＲＡＭ７３、および不揮発性メモリであるＮＶ−ＲＡＭ７４（制限情報記憶手段としての機能を果たす）と、外部と接続してデータの授受を行うためのＩ／Ｏポート６７が設けられ、それらと画像メモリコントローラ６５とが、それぞれアドレスバス及びデータバスと図示していないコントロールバスとからなるＣＰＵバス７２によって相互に接続されている。
【００５９】
ＣＰＵ６８は、印字イメージデータ発生装置（印字ユニット）７６および図４に示したメインコントローラ２０のＩＦ（Ｉ／Ｏポート）２０４とも、アドレスバスおよびデータバスと図示を省略しているコントロールバスを含むバスによって接続されている。
さらに、このＣＰＵ６８は、画像メモリコントローラ６５への設定や、図２に示したスキャナ５０および書き込みユニット５７の制御も行なう機能も有している。
【００６０】
図２に示したスキャナ５０の露光ランプ５１から原稿面に照射された光の反射による結像光を、ＣＣＤイメージセンサ５４によって光電変換して画像信号とする。それをＡ／Ｄコンバータ６１でデジタル信号に変換して画像データとする。その画像データにシェーディング補正部６２によってシェーディング補正がなされた後、ＭＴＦ・γ補正部６３によってＭＴＦ補正およびγ補正等がなされる。
その後、セレクタ６４により、その画像データを印字合成部７１又は画像メモリコントローラ６５へ切り換えて供給する。
【００６１】
印字イメージデータ発生装置（印字ユニット）７６は、ＣＰＵバス７２に接続され、ページ印刷用のキャラクタ（文字）イメージデータ、任意のスタンプ用イメージデータ等の印字イメージデータを発生する。
この印字イメージデータ発生装置７６で発生された印字イメージデータが印字合成部７１へ入力され、セレクタ６４から印字合成部７１に送られる画像データに任意の印字イメージデータを合成することができる。
その合成された画像データが、変倍回路７７を経て指定された変倍率に合せて拡大又は縮小され、書き込みユニット５７に送られる。それによって、転写紙毎に印字イメージを付加することが可能になる。なお、印字イメージデータ発生装置７６で発生された印字イメージデータのみを印字合成部７１および変倍回路７７を介してプロッタ５５０の書き込みユニット５７に送ることもできる。
【００６２】
一方、画像メモリコントローラ６５とセレクタ６４間は、双方向に画像データを入出力可能な構成となっている。
図６には特に明示していないが、このＩＰＵ４０にはスキャナ５０から入力される画像データ以外にも、画像送信手段と画像受信手段としての機能を果たすＩ／Ｏポート６７（ネットワークＩＦ）を介して外部機器から供給される画像データ、例えばパソコン等の外部のデータ処理装置から入力するデータも処理できるように、複数データの入出力の選択を行なう機能を有している。
この実施形態においては、Ｉ／Ｏポート６７を介してこのデジタル複合機１を図１に示したようにネットワークＮに接続しており、その通信手段には、例えばインターネットの標準プロトコルとして普及されているＴＣＰ／ＩＰ通信プロトコルなどを用いる。
【００６３】
また、図１に示したようなネットワーク構成を持ち、ネットワークＮに接続された各装置（Ａ〜Ｅ等）との間で、その装置構成情報や動作状況、もしくはリモート出力コマンド等の制御コマンド、設定コマンドなどを送受信し、または外部サーバと画像データや送信先アドレス帳データの送受信を行っている。
ＣＰＵ６８は、画像メモリコントローラ６５を介して、画像メモリ６６に対して画像データの書き込みおよび読み出しを行っている。
画像メモリコントローラ６５へ送られた画像データは、その内部にある画像圧縮装置によって画像圧縮した後、画像メモリ６６に送られて、そこに記憶される。
【００６４】
ここで画像圧縮する理由は、最大画像サイズ分の２５６階調の画像データをそのまま画像メモリ６６に書き込むことも可能であるが、１枚の原稿の画像データの記憶に画像メモリ６６の容量を多く使用することになり、多くの画像を記憶できなくなる。そこで、画像圧縮を行なうことによって、限られた画像メモリ６６の記憶容量を有効に利用できる。
また、一度に多くの原稿の画像データを記憶することができるようになるため、ソート機能として、貯えられた原稿の画像イメージデータをページ順に出力することもできる。この場合、画像を出力する際に画像メモリ６６から読み出したデータを画像メモリコントローラ６５内の伸長装置で順次伸長しながらセレクタ６４に出力し、そこから印字合成部７１へ送る。このような機能は一般に「電子ソート」と呼ばれている。
【００６５】
また、画像メモリ６６の機能を利用して、複数枚の原稿の画像を、画像メモリ６６の転写紙１枚分のエリアを分割したエリアに順次読み込むことも可能である。例えば、４枚の原稿の画像を画像メモリ６６の転写紙一枚分の４等分されたエリアに順次書き込むことによって、４枚の原稿の画像が１枚の転写紙のイメージに合成され集約されたコピー出力を得ることが可能になる。このような機能は一般に「集約コピー」と呼ばれている。
画像メモリ６６に記憶された画像データはＣＰＵ６８からアクセス可能な構成になっている。そのため、画像メモリ６６に記憶された画像データの内容を加工することが可能であり、例えば、画像の間引き処理、画像の切り出し処理等を行なえる。その加工には、画像メモリコントローラ６５のレジスタにデータを書き込むことによって、画像メモリ６６の処理を行なう。加工された画像は再度画像メモリ６６に保持される。
【００６６】
画像メモリ６６は、処理を行なう画像データの大きさにより複数のエリアに分割して、画像データの入出力を同時に実行可能な構成をとっている。その各分割したエリアに画像データの入力と出力をそれぞれ並列に実行可能にするために、画像メモリコントローラ６５とのインタフェースに、リード用とライト用の二組のアドレス・データ線で接続されている。それにより、一方のエリアに画像データを入力（ライト）する間に他方のエリアから画像データを出力（リード）するという動作が可能になる。
【００６７】
多くの画像データを収納するために、画像メモリとしてハードディスク（ＨＤ）７５を別に設けている。ハードディスク７５を用いることにより、外部電源が不要で永久的に画像を保持できる利点がある。複数の定型の原稿（フォーマット原稿）の画像をスキャナ５０で読み込んで保持するためには、このハードディスク７５が用いられる。
また、スキャナ５０によって読み取った画像データを電子メールなどを利用して外部に配信する際のデータのエンコード処理や、配信の宛先データを持つアドレス帳などの保管や編集あるいは削除といった一連の動作を行なう際にも、ハードディスク７５が利用される。
【００６８】
図２に示した装置本体１Ａにおける書き込みユニット５７を含むプロッタ５５０による画像形成速度と、スキャナ５０による原稿の画像読み取りの処理速度の差を吸収するために、読み取った画像のデータを画像メモリ６６に一旦記憶させる。また、外部の画像記憶装置からの画像データを書き込みユニット５７に送る際にも、その画像データを画像メモリ６６に一旦記憶させた後、それを読み出して書き込みユニット５７に送ることになる。このように画像メモリ６６およびハードディスク７５に記憶する画像、スキャナ５０による読み取り画像、書き込みユニット５７に送る画像等の入出力は、全て画像メモリコントローラ６５によって画像パス（画像転送経路）を決められる。
このように、ＣＰＵ６８が画像データの入力および出力を決めることにより、ＣＰＵ６８に接続された画像メモリコントローラ６５による画像の流れを切り換えることが可能になる。
【００６９】
次に、図７を用いて、セレクタ６４における１ページ分の画像データおよび制御信号について説明する。
図７は、セレクタ６４における１ページ分の画像データおよび制御信号の一例を示すタイミングチャートである。
図７において、／ＦＧＡＴＥ（「／」はローアクティブを示す）はフレームゲート信号であり、１ページの画像データの副走査方向の有効期間を表わしている。
／ＬＳＹＮＣは１ライン毎の主走査同期信号であり、この信号が立ち上がった後の所定クロックで画像データが有効となる。
【００７０】
／ＬＧＡＴＥはラインゲート信号であり、画像データの主走査方向の有効期間を示す。
これらの信号は、画素クロック信号ＶＣＬＫ（画素同期信号）に同期しており、その１周期に対して１画素８ビット（２５６階調）のデータが送られてくる。
このデジタル複合機１では、転写紙への書込密度が４００ｄｐｉ、最大画素数が主走査４８００画素、副走査６８００画素である。画像データは、階調が「２５５」に近いほど白画像になるものとする。
【００７１】
以下、上述したデジタル複合機１におけるこの発明の特徴とする部分の構成および機能の異なる複数の実施例について説明する。
〔第１実施例〕
図８は、このデジタル複合機１のメインコントローラ２０によるこの発明に関わる制御（画像出力制御）の第１例を示すフローチャートである。
図９〜図１５は、ユーザの操作によってデジタル複合機１から所要の処理画像を出力させる際の操作手順を説明するための液晶タッチパネル３１の操作画面の異なる例を示す図である。なお、斜線を施している機能キーは、白黒表示の反転を示している。
【００７２】
図１６は、このデジタル複合機１の制御系のユーザ視点で見た場合のこの発明に関わる要部構成例を画像転送経路の一例と共に示す機能ブロック図である。
図１７は、このデジタル複合機１の制御系のシステム視点で見た場合のこの発明に関わる要部構成例を示す機能ブロック図である。
このデジタル複合機１は、図１６，図１７に示すように、入力部６００，編集部６１０，および出力部６２０を備えている。
【００７３】
そして、入力部６００による原稿画像，蓄積画像，受信画像の入力機能をスキャナ５０，画像メモリ６６，およびＩ／Ｏポート（ネットワークＩＦ）６７が、編集部６１０によるそれらの画像（入力画像）の編集処理機能を画像処理ユニット４０およびスキャナ５０が、出力部６２０による入力画像（編集処理されたものも含む）の出力機能をプロッタ５５０，画像メモリ６６，およびＩ／Ｏポート６７がそれぞれ果たすことができる。
なお、第１実施例では、編集部６１０による編集処理（編集モードに係わる処理）を省略するものとする。
【００７４】
このデジタル複合機１のメインコントローラ２０は、電源投入時等の所定タイミング時に、図３に示した操作部３０の液晶タッチパネル３１上に図９に示す入力画像指定部３１０と出力形式指定部３２０とからなる操作画面（初期画面）を表示する。
その後、操作画面上のいずれかの機能キー、つまり入力画像指定部３１０の原稿画像キー３１１，蓄積画像キー３１２，受信画像キー３１３、および出力形式指定部３２０の印刷キー３２１，蓄積キー３２２，送信キー３２３のいずれかが押下された時に、図８の処理ルーチンをスタートする。
【００７５】
そして、押下された機能キーが入力画像指定部３１０上の原稿画像キー３１１の場合には、ステップＳ１で原稿画像が入力画像として指定されたと判断し、ステップＳ２で図２のスキャナ５０を選択する。なお、原稿画像キー３１１が押下された場合には、図１０に示すように原稿画像キー３１１の白黒表示を反転させる（斜線を施して示す）。また、ユーザは、原稿画像キー３１１を押下する時には、その前に原稿を図２のコンタクトガラス６又はＡＤＦ１Ｂの原稿台２上にセットする。
【００７６】
次に、ステップＳ３で読取モード設定処理を行う。
すなわち、例えば原稿画像キー３１１が再度押下された場合に、操作画面に図１１に示すような片面キー３１１１ａと両面キー３１１１ｂとからなる読取モード指定部３１１１を表示する。そして、そのいずれかの機能キーが押下されると、その機能キーに対応する読取モードを設定する。つまり、片面キー３１１１ａが押下された場合には原稿の片面の画像のみを読み取る片面読取モードを、両面キー３１１１ｂが押下された場合には原稿の両面の画像を読み取る両面読取モードをそれぞれ設定する。但し、両面読取モードを設定する場合には、原稿を図２のＡＤＦ１Ｂの原稿台２上にセットする必要がある。
【００７７】
押下された機能キーが入力画像指定部３１０上の蓄積画像キー３１２の場合には、ステップＳ４で蓄積画像が入力画像として指定されたと判断し、ステップＳ５で図６の画像メモリ６６を選択する。
押下された機能キーが入力画像指定部３１０上の受信画像キー３１３の場合には、ステップＳ６で受信画像が入力画像として指定されたと判断し、ステップＳ７で図６のＩ／Ｏポート６７を選択する。
【００７８】
押下された機能キーが出力形式指定部３２０上の印刷キー３２１の場合には、ステップＳ８で印刷出力が出力形式と指定されたと判断し、ステップＳ９で図６のプロッタ５５０を選択する。なお、印刷キー３２１が押下された場合には、図１２に示すように印刷キー３２１の白黒表示を反転させる。
次に、ステップＳ１０で印刷モード設定処理を行う。
【００７９】
すなわち、例えば印刷キー３２１が再度押下された場合に、操作画面に図１３に示すような片面キー３２１１ａと両面キー３２１１ｂとからなる印刷モード指定部３２１１を表示する。そして、そのいずれかの機能キーが押下されると、その機能キーに対応する印刷モードを設定する。つまり、片面キー３２１１ａが押下された場合には転写紙の片面のみに画像を印刷する片面印刷モードを、両面キー３２１１ｂが押下された場合には転写紙の両面に画像を印刷する両面印刷モードをそれぞれ設定する。
【００８０】
印刷モード設定処理が終了すると、ステップＳ１１でロジック判定処理を行う。
すなわち、原稿画像が入力画像として指定されていた場合に、スキャナ５０およびプロッタ５５０を選択するため、スキャナ５０で読み取った画像をプロッタ５５０で印刷出力できるように画像転送経路を決定する。
押下された機能キーが出力形式指定部３２０上の蓄積キー３２２の場合には、ステップＳ１２で蓄積が出力形式として指定されたと判断し、ステップＳ１３で画像メモリ６６を選択した後、ステップＳ１４でロジック判定処理を行う（ステップＳ１１で既にロジック判定処理を行っていた場合には更新する）。
【００８１】
すなわち、原稿画像が入力画像として指定されていた場合には、スキャナ５０および画像メモリ６６を選択するため、スキャナ５０で読み取った画像を画像メモリ６６に入力できるように画像転送経路を決定する。原稿画像が入力画像として指定され、且つ蓄積の他に印刷出力も出力形式として指定された場合には、スキャナ５０，プロッタ５５０，および画像メモリ６６を選択するため、スキャナ５０で読み取った画像をプロッタ５５０と画像メモリ６６の両方に入力できるように画像転送経路を決定する。
【００８２】
押下された機能キーが出力形式指定部３２０上の送信キー３２３の場合には、ステップＳ１５で送信が出力形式として指定されたと判断し、ステップＳ１６でＩ／Ｏポート６７を選択する。なお、送信キー３２３が押下された場合には、図１４に示すように送信キー３２３の白黒表示を反転させる。
次に、ステップＳ１７で送信先設定処理を行う。
【００８３】
すなわち、例えば送信キー３２３が再度押下された場合に、操作画面に図１５に示すような予め登録された複数の送信先（宛先）からなる送信先指定部３２３１を表示する。そして、そのいずれかの送信先が押下されると、その送信先を設定する。なお、新たな送信先を入力して設定することもできる。また、図１５の例では、送信先指定部３２３１を構成する複数の宛先としてＥメールアドレス（電子メールアドレス）を表示しているが、ＦＡＸ番号等の他の送信先を表示してもよい。あるいは、ＥメールアドレスやＦＡＸ番号等の各種送信先をまとめて表示してもよい。
次に、ステップＳ１８でロジック判定処理を行う（ステップＳ１１又はＳ１４で既にロジック判定処理を行っていた場合には更新する）。
【００８４】
すなわち、原稿画像が入力画像として指定されていた場合には、スキャナ５０およびＩ／Ｏポート６７を選択するため、スキャナ５０で読み取った画像をＩ／Ｏポート６７に入力できるように画像転送経路を決定する。蓄積画像が入力画像として指定されていた場合には、画像メモリ６６およびＩ／Ｏポート６７を選択するため、画像メモリ６６内の画像をＩ／Ｏポート６７に入力できるように画像転送経路を決定する。
【００８５】
原稿画像が入力画像として指定され、且つ送信の他に印刷出力も出力形式として指定された場合には、スキャナ５０，プロッタ５５０，およびＩ／Ｏポート６７を選択するため、スキャナ５０で読み取った画像をプロッタ５５０とＩ／Ｏポート６７の両方に入力できるように画像転送経路を決定する。原稿画像が入力画像として指定され、且つ送信の他に蓄積も出力形式として指定された場合には、スキャナ５０，画像メモリ６６，およびＩ／Ｏポート６７を選択するため、スキャナ５０で読み取った画像を画像メモリ６６とＩ／Ｏポート６７の両方に入力できるように画像転送経路を決定する。
【００８６】
その後、図３のスタートキー３３が押下された場合に、上述したロジック判定処理に基づいて画像出力処理を行う。
すなわち、ロジック判定処理で図１６に示すようにスキャナ５０で読み取った画像（原稿画像）をプロッタ５５０（印刷出力）とＩ／Ｏポート６７（送信）の両方に入力できるように画像転送経路を決定した場合には、図１７に示すようにスキャナ５０に原稿の画像を読み取らせて画像メモリ６６に一時的に記憶させた後読み出し、プロッタ５５０に転送して印刷出力を行わせると共に、Ｉ／Ｏポート６７によってネットワークＮ経由で先に設定した送信先、例えばパソコンＡ又はＢへメール等によって送信（配信）させる。
【００８７】
スキャナ５０で読み取った画像を画像メモリ６６とプロッタ５５０の両方に入力できるように画像転送経路を決定した場合には、スキャナ５０に原稿の画像を読み取らせ、その画像を画像メモリ６６に蓄積させると共に、その画像を読み出してプロッタ５５０に転送して印刷出力を行わせる。
画像メモリ６６内の画像をプロッタ５５０とＩ／Ｏポート６７の両方に入力できるように画像転送経路を決定した場合には、画像メモリ６６内の画像を読み出してプロッタ５５０に転送して印刷出力を行わせると共に、Ｉ／Ｏポート６７によってネットワークＮ経由で先に設定した送信先へ送信させる。
【００８８】
スキャナ５０で読み取った画像をプロッタ５５０に入力できるように画像転送経路を決定した場合には、スキャナ５０に原稿の画像を読み取らせて画像メモリ６６に一時的に記憶させた後読み出し、プロッタ５５０に転送して印刷出力を行わせる。
スキャナ５０で読み取った画像を画像メモリ６６に入力できるように画像転送経路を決定した場合には、スキャナ５０に原稿の画像を読み取らせて画像メモリ６６に蓄積させる。
スキャナ５０で読み取った画像をＩ／Ｏポート６７に入力できるように画像転送経路を決定した場合には、スキャナ５０に原稿の画像を読み取らせて画像メモリ６６に一時的に記憶させた後読み出し、Ｉ／Ｏポート６７によってネットワークＮ経由で先に設定した送信先へ送信させる。
【００８９】
なお、図８の例では、説明の都合上、押下された機能キーが入力画像指定部３１０上の蓄積画像キー３１２であった場合の処理を簡略化しているが、例えばその蓄積画像キー３１２が再度押下された場合に、画像メモリ６６内の画像（ここでは複数の画像とする）に対応する複数の機能キー（画像指定キー）からなる画像指定部を操作画面に表示し、そのいずれかの機能キーが押下された場合に、その機能キーに対応する画像を出力画像として選択するように処理を追加することもできる。これについては、後述する第２，第３実施例でも同様とする。
【００９０】
このように、第１実施例によれば、デジタル複合機のメインコントローラが、操作画面上の１回のキー操作によって指定された入力画像と出力形式の組み合わせに応じて、画像処理部（画像処理手段）であるスキャナ，画像メモリ，Ｉ／Ｏポート（ネットワークＩＦ），プロッタのうち、使用する少なくとも２つの画像処理部を選択すると共に画像転送経路を決定し、その選択した各画像処理部を決定した画像転送経路に基づいて使用することにより所要の処理画像を出力させるので、デジタル複合機から所要の処理画像（複数の処理画像）を出力させる際の操作が簡単になり、デジタル複合機の使い勝手が向上する。
【００９１】
また、原稿画像を画像メモリに蓄積させた場合、その後ユーザが入力画像として蓄積画像（画像メモリ内の画像）を指定し、出力形式して印刷出力を指定することにより、デジタル複合機のメインコントローラが、画像メモリおよびプロッタを選択すると共に画像転送経路を決定し、画像メモリ内の画像をプロッタによって出力させるため、一度印刷出力した原稿画像をスキャナによって再度読み取らせる必要がなくなる。つまり、一度印刷出力した原稿画像を再利用できるため、業務効率の向上につながる。
さらに、デジタル複合機のメインコントローラが、指定された入力画像と出力形式を示す情報を操作画面上に白黒反転表示するので、意図しない処理画像の出力を回避することもできる。
【００９２】
〔第２実施例〕
図１８は、このデジタル複合機１のメインコントローラ２０によるこの発明に関わる制御（画像出力制御）の第２例を示すフローチャートである。
図１９は、このデジタル複合機１の制御系のユーザ視点で見た場合のこの発明に関わる他の要部構成例を画像転送経路の一例と共に示す機能ブロック図であり、図１６と同じ部分には同一符号を付している。
図２０は、このデジタル複合機１の制御系のシステム視点で見た場合のこの発明に関わる他の要部構成例を示す機能ブロック図であり、図１７と同じ部分には同一符号を付している。
【００９３】
この第２実施例において、液晶タッチパネル３１に表示される操作画面は第１実施例と略同様なので、再び図９〜図１５を参照する。
また、第２実施例は、図８等によって説明した第１実施例に編集部６１０による編集処理（編集モードに係わる処理）を追加したものであり、その編集処理を含む図１８のステップＳ２８以降の処理について説明する。なお、入力画像に対する編集処理は、その入力画像を画像メモリ６６に一時記憶又は蓄積する前か、あるいは画像メモリ６６に一時記憶又は蓄積した後に行うが、ここでは後者のタイミングで行うものとする。
【００９４】
このデジタル複合機１のメインコントローラ２０は、押下された機能キーが出力形式指定部３２０上の印刷キー３２１の場合には、ステップＳ２８で印刷出力が出力形式と指定されたと判断し、ステップＳ２９でプロッタ５５０を選択した後、ステップＳ３０で印刷モード設定処理を、ステップＳ３１で編集モード設定処理をそれぞれ行う。
すなわち、例えば印刷キー３２１が再度押下された場合に、操作画面に図１３に示したような片面キー３２１１ａと両面キー３２１１ｂとからなる印刷モード指定部３２１１の他に図示しない編集モード指定部を表示するので、印刷モード指定部３２１１上のいずれかの機能キーが押下された場合には、その機能キーに対応する印刷モードを設定する。
【００９５】
編集モード指定部上のいずれかの機能キーが押下された場合には、編集部６１０を選択し、その機能キーに対応する編集モードを設定する。例えば、押下された機能キーが変倍キーであれば変倍モードを設定し、更に所定のキー操作によって変倍率が指定された場合にその変倍率を設定する。押下された機能キーが集約キーであれば集約モードを設定し、更に所定のキー操作によって集約枚数が指定された場合にその集約枚数を設定する。押下された機能キーが移動キーであれば移動モードを設定し、更に所定のキー操作によって移動元と移動先が指定された場合にその移動元と移動先を設定する。押下された機能キーが消去キーであれば消去モードを設定し、更に所定のキー操作によって消去位置が指定された場合にその消去位置を設定する。それらの編集モードの設定内容（情報）は、操作画面上に表示する。
【００９６】
印刷モード設定処理と編集モード設定処理が終了すると、ステップＳ３２でロジック判定処理を行う。
すなわち、原稿画像が入力画像として指定され、且つ編集モードが設定されていた場合には、スキャナ５０，編集部６１０，およびプロッタ５５０を選択するため、スキャナ５０で読み取った画像を編集部６１０で編集処理してプロッタ５５０で印刷出力できるように画像転送経路を決定する。
【００９７】
押下された機能キーが出力形式指定部３２０上の蓄積キー３２２の場合には、ステップＳ３３で蓄積が出力形式として指定されたと判断し、ステップＳ３４で画像メモリ６６を選択した後、ステップＳ３５でロジック判定処理を行う（ステップＳ３２で既にロジック判定処理を行っていた場合には更新する）。
【００９８】
すなわち、原稿画像が入力画像として指定されていた場合には、スキャナ５０および画像メモリ６６を選択するため、スキャナ５０で読み取った画像を画像メモリ６６に入力できるように画像転送経路を決定する。原稿画像が入力画像として指定され、且つ蓄積の他に印刷出力も出力形式として指定され、且つ編集モードが設定されていた場合には、スキャナ５０，編集部６１０，プロッタ５５０，および画像メモリ６６を選択するため、スキャナ５０で読み取った画像を画像メモリ６６とプロッタ５５０の両方に入力できるように、且つプロッタ５５０に入力する画像を編集部６１０で編集できるように画像転送経路を決定する。
【００９９】
押下された機能キーが出力形式指定部３２０上の送信キー３２３の場合には、ステップＳ３６で送信が出力形式として指定されたと判断し、ステップＳ３７でＩ／Ｏポート６７を選択した後、ステップＳ３８で送信先設定処理を行い、ステップＳ３９でロジック判定処理を行う（ステップＳ３２又はＳ３５で既にロジック判定処理を行っていた場合には更新する）。
【０１００】
すなわち、原稿画像が入力画像として指定され、且つ編集モードが設定されていた場合には、スキャナ５０，編集部６１０，およびＩ／Ｏポート６７を選択するため、スキャナ５０で読み取った画像を編集部６１０で編集処理してＩ／Ｏポート６７に入力できるように画像転送経路を決定する。蓄積画像が入力画像として指定され、且つ編集モードが設定されていた場合には、編集部６１０，画像メモリ６６，およびＩ／Ｏポート６７を選択するため、画像メモリ６６内の画像を編集部６１０で編集処理してＩ／Ｏポート６７に入力できるように画像転送経路を決定する。
【０１０１】
原稿画像が入力画像として指定され、且つ送信の他に印刷出力も出力形式として指定され、且つ編集モードが設定されていた場合には、スキャナ５０，編集部６１０，プロッタ５５０，およびＩ／Ｏポート６７を選択するため、スキャナ５０で読み取った画像を編集部６１０で編集処理してプロッタ５５０とＩ／Ｏポート６７の両方に入力できるように画像転送経路を決定する。原稿画像が入力画像として指定され、且つ送信の他に蓄積も出力形式として指定され、且つ編集モードが設定されていた場合には、スキャナ５０，画像メモリ６６，編集部６１０，プロッタ５５０，およびＩ／Ｏポート６７を選択するため、スキャナ５０で読み取った画像を画像メモリ６６とＩ／Ｏポート６７の両方に入力できるように、且つＩ／Ｏポート６７に入力する画像を編集部６１０で編集できるように画像転送経路を決定する
【０１０２】
その後、スタートキー３３が押下された場合に、上述したロジック判定処理に基づいて画像出力処理を行う。但し、この例では編集モードを設定しているものとする。
すなわち、ロジック判定処理で図１９に示すようにスキャナ５０で読み取った画像（原稿画像）を編集部６１０で編集処理（例えば変倍処理）してプロッタ５５０（印刷出力）に入力できるように画像転送経路を決定した場合には、図２０に示すようにスキャナ５０に原稿の画像を読み取らせて画像メモリ６６に一時的に記憶させた後読み出し、編集部６１０に編集処理を行わせた後、プロッタ５５０に転送して印刷出力を行わせる。
【０１０３】
スキャナ５０で読み取った画像を編集部６１０で編集処理してＩ／Ｏポート６７に入力できるように画像転送経路を決定した場合には、スキャナ５０に原稿の画像を読み取らせて画像メモリ６６に一時的に記憶させた後読み出し、編集部６１０に編集処理を行わせた後、Ｉ／Ｏポート６７によってネットワークＮ経由で先に設定した送信先へ送信させる。
スキャナ５０で読み取った画像を編集部６１０で編集処理してプロッタ５５０とＩ／Ｏポート６７の両方に入力できるように画像転送経路を決定した場合には、スキャナ５０に原稿の画像を読み取らせて画像メモリ６６に一時的に記憶させた後読み出し、編集部６１０に編集処理を行わせた後、プロッタ５５０に転送して印刷出力を行わせると共に、Ｉ／Ｏポート６７によってネットワークＮ経由で先に設定した送信先へ送信させる。
【０１０４】
スキャナ５０で読み取った画像を画像メモリ６６とプロッタ５５０の両方に入力できるように、且つプロッタ５５０に入力する画像を編集部６１０で編集できるように画像転送経路を決定した場合には、スキャナ５０に原稿の画像を読み取らせ、その画像を画像メモリ６６に蓄積させると共に、その画像を読み出して編集部６１０に編集処理を行わせた後、プロッタ５５０に転送して印刷出力を行わせる。
画像メモリ６６内の画像を編集部６１０で編集してプロッタ５５０とＩ／Ｏポート６７の両方に入力できるように画像転送経路を決定した場合には、画像メモリ６６内の画像を読み出して編集部６１０に編集処理を行わせた後、プロッタ５５０に転送して印刷出力を行わせると共に、Ｉ／Ｏポート６７によってネットワークＮ経由で先に設定した送信先へ送信させる。
【０１０５】
なお、原稿画像，蓄積画像，受信画像のうちの少なくとも２つが入力画像、例えば原稿画像と蓄積画像が入力画像として指定され、且つそれらの入力画像を合成するモードが編集モードとして指定され、ロジック判定処理でスキャナ５０で読み取った画像と画像メモリ６６内の画像を編集部６１０で合成してプロッタ５５０とＩ／Ｏポート６７の両方に入力できるように画像転送経路を決定した場合に、スキャナ５０に原稿の画像を読み取らせて画像メモリ６６に一時的に記憶させ、その画像と画像メモリ６６に蓄積されている他の画像を読み出す際に編集部６１０に同一フォーマットで合成させ、その合成画像をプロッタ５５０に転送して印刷出力を行わせると共に、Ｉ／Ｏポート６７によってネットワークＮ経由で設定した送信先へ送信させることもできる。
【０１０６】
このように、第２実施例によれば、デジタル複合機のメインコントローラが、操作画面上の１回のキー操作によって指定された入力画像と出力形式と編集モードの組み合わせに応じて、画像処理部であるスキャナ，編集部，画像メモリ，Ｉ／Ｏポート，プロッタのうち、使用する少なくとも３つの画像処理部（編集部を含む）を選択すると共に画像転送経路を決定し、その選択した各画像処理部を決定した画像転送経路に基づいて使用することにより所要の処理画像を出力させるので、デジタル複合機から編集処理を施した所要の処理画像（複数の処理画像）を出力させる際の操作が簡単になり、デジタル複合機の使い勝手が向上する。
【０１０７】
また、原稿画像を画像メモリに蓄積させた場合、その後ユーザが入力画像として蓄積画像を指定し、出力形式して印刷出力を指定することにより、デジタル複合機のメインコントローラが、画像メモリおよびプロッタを選択すると共に画像転送経路を決定し、画像メモリ内の画像をプロッタによって出力させるため、一度印刷出力した原稿画像をスキャナによって再度読み取らせる必要がなくなる。つまり、一度印刷出力した原稿画像を再利用できるため、業務効率の向上につながる。
さらに、デジタル複合機のメインコントローラが、指定された入力画像と出力形式を示す情報を操作画面上に白黒反転表示すると共に、指定された編集モードの設定内容を操作画面上に表示するので、意図しない処理画像の出力を確実に回避することもできる。
【０１０８】
〔第３実施例〕
図２１は、このデジタル複合機１の制御系のユーザ視点で見た場合のこの発明に関わる更に他の要部構成例を画像転送経路の一例と共に示す機能ブロック図であり、図１９と同じ部分には同一符号を付している。
図２２は、このデジタル複合機１の制御系のユーザ視点で見た場合のこの発明に関わる更に他の要部構成例を画像転送経路の他の例と共に示す機能ブロック図であり、図１９と同じ部分には同一符号を付している。
【０１０９】
図２３は、このデジタル複合機１の制御系のシステム視点で見た場合のこの発明に関わる更に他の要部構成例を示す機能ブロック図であり、図２０と同じ部分には同一符号を付している。
図２４は、このデジタル複合機１の制御系による前変倍処理を含む画像出力処理を説明するための説明図である。
図２５は、このデジタル複合機１の制御系による後変倍処理を含む画像出力処理を説明するための説明図である。
【０１１０】
この第３実施例において、編集処理が第２実施例と異なるだけなので、再び図１８を参照する。
また、液晶タッチパネル３１に表示される操作画面は第１実施例と略同様なので、再び図９〜図１５を参照する。
このデジタル複合機１は、図２１〜図２３に示すように、入力部６００，前編集部６１０ａ，後編集部６１０ｂ，および出力部６２０を備えている。
【０１１１】
そして、入力部６００による各入力画像（原稿画像，蓄積画像，受信画像）の入力機能をスキャナ５０，画像メモリ６６，およびＩ／Ｏポート６７が、前編集部６１０ａによる各入力画像の編集処理（例えば変倍処理，移動処理，集約処理）機能を画像処理ユニット４０およびスキャナ５０が、後編集部６１０ｂによる各入力画像の編集処理機能を画像処理ユニット４０が、出力部６２０による入力画像（編集処理されたものも含む）の出力機能をプロッタ５５０，画像メモリ６６，およびＩ／Ｏポート６７がそれぞれ果たすことができる。
【０１１２】
このデジタル複合機１のメインコントローラ２０は、ステップＳ３１の編集モード設定処理において、編集モード指定部上のいずれかの機能キーが押下された場合に、その機能キーに対応する編集モードを設定する。これについては第２実施例と同様である。
また、指定された入力画像が原稿画像でなければ、後編集部６１０ｂを選択する。指定された入力画像が原稿画像のみであれば、ユーザによる操作画面上のキー操作によって前編集部６１０ａ又は後編集部６１０ｂを選択する。但し、設定した編集モードが画像変倍に関するモード（変倍モード又は集約モード）のみの場合、前編集部６１０ａ又は後編集部６１０ｂを自動的に選択することもできる。例えば、指定された出力形式が印刷出力のみであれば前編集部６１０ａを、蓄積であれば後編集部６１０ｂをそれぞれ自動選択する。
【０１１３】
印刷モード設定処理と編集モード設定処理が終了すると、ステップＳ３２でロジック判定処理を行う。
すなわち、原稿画像が入力画像として指定され、且つ編集モードが設定されていた場合には、スキャナ５０およびプロッタ５５０を選択するため、更に前編集部６１０ａを選択した場合には、スキャナ５０で読み取った画像を前編集部６１０ａで編集処理して（変倍モード又は集約モードの画像変倍に関するモードを設定した場合には必要に応じてスキャナ５０で原稿画像を読み取る際に変倍することもできる）プロッタ５５０で印刷出力できるように画像転送経路を決定する。更に後編集部６１０ｂを選択した場合には、スキャナ５０で読み取った画像を後編集部６１０ｂで編集処理してプロッタ５５０で印刷出力できるように画像転送経路を決定する。
【０１１４】
押下された機能キーが出力形式指定部３２０上の蓄積キー３２２の場合には、ステップＳ３３で蓄積が出力形式として指定されたと判断し、ステップＳ３４で画像メモリ６６を選択した後、ステップＳ３５でロジック判定処理を行う（ステップＳ３２で既にロジック判定処理を行っていた場合には更新する）。
【０１１５】
すなわち、原稿画像が入力画像として指定されていた場合には、スキャナ５０および画像メモリ６６を選択するため、スキャナ５０で読み取った画像を画像メモリ６６に入力できるように画像転送経路を決定する。原稿画像が入力画像として指定され、且つ蓄積の他に印刷出力も出力形式として指定され、且つ編集モードが設定されていた場合には、スキャナ５０，プロッタ５５０，および画像メモリ６６を選択するため、更に後編集部６１０ｂを選択した場合に、スキャナ５０で読み取った画像を画像メモリ６６とプロッタ５５０の両方に入力できるように、且つプロッタ５５０に入力する画像を後編集部６１０ｂで編集できるように画像転送経路を決定する。
【０１１６】
押下された機能キーが出力形式指定部３２０上の送信キー３２３の場合には、ステップＳ３６で送信が出力形式として指定されたと判断し、ステップＳ３７でＩ／Ｏポート６７を選択した後、ステップＳ３８で送信先設定処理を行い、ステップＳ３９でロジック判定処理を行う（ステップＳ３２又はＳ３５で既にロジック判定処理を行っていた場合には更新する）。
【０１１７】
すなわち、原稿画像が入力画像として指定され、且つ編集モードが設定されていた場合には、スキャナ５０およびＩ／Ｏポート６７を選択するため、更に前編集部６１０ａ又は後編集部６１０ｂを選択した場合に、スキャナ５０で読み取った画像を前編集部６１０ａ又は後編集部６１０ｂで編集処理してＩ／Ｏポート６７に入力できるように画像転送経路を決定する。蓄積画像が入力画像として指定され、且つ編集モードが設定されていた場合には、画像メモリ６６およびＩ／Ｏポート６７を選択するため、更に後編集部６１０ｂを選択した場合に、画像メモリ６６内の画像を後編集部６１０ｂで編集処理してＩ／Ｏポート６７に入力できるように画像転送経路を決定する。
【０１１８】
原稿画像が入力画像として指定され、且つ送信の他に印刷出力も出力形式として指定され、且つ編集モードが設定されていた場合には、スキャナ５０，プロッタ５５０，およびＩ／Ｏポート６７を選択するため、更に前編集部６１０ａ又は後編集部６１０ｂを選択した場合に、スキャナ５０で読み取った画像を前編集部６１０ａ又は後編集部６１０ｂで編集処理してプロッタ５５０とＩ／Ｏポート６７の両方に入力できるように画像転送経路を決定する。原稿画像が入力画像として指定され、且つ送信の他に蓄積も出力形式として指定され、且つ編集モードが設定されていた場合には、スキャナ５０，画像メモリ６６，およびＩ／Ｏポート６７を選択するため、更に後編集部６１０ｂを選択した場合に、スキャナ５０で読み取った画像を画像メモリ６６とＩ／Ｏポート６７の両方に入力できるように、且つＩ／Ｏポート６７に入力する画像を後編集部６１０ｂで編集できるように画像転送経路を決定する。
【０１１９】
その後、スタートキー３３が押下された場合に、上述したロジック判定処理に基づいて画像出力処理を行う。但し、この例では編集モードを設定しているものとする。
すなわち、ロジック判定処理で図２１に示すようにスキャナ５０で読み取った画像（原稿画像）を前編集部６１０ａで編集処理（例えば変倍処理）してプロッタ５５０（印刷出力）に入力できるように画像転送経路を決定した場合には、図２３，図２４に示すようにスキャナ５０に原稿の画像を読み取らせて前編集部６１０ａに編集処理（例えば前変倍処理）を行わせ、その編集した画像を画像メモリ６６に一時的に記憶させた後読み出し、プロッタ５５０に転送して印刷出力を行わせる。なお、前編集部６１０ａで変倍処理を行う場合、特に縮小変倍処理を行う場合には、コピーのスループットを考慮して、その変倍処理をスキャナ５０で光学的に行うとよい。
【０１２０】
スキャナ５０で読み取った画像を前編集部６１０ａで編集処理してＩ／Ｏポート６７に入力できるように画像転送経路を決定した場合には、スキャナ５０に原稿の画像を読み取らせて前編集部６１０ａに編集処理を行わせ、その編集した画像を画像メモリ６６に一時的に記憶させた後読み出し、Ｉ／Ｏポート６７によってネットワークＮ経由で先に設定した送信先へ送信させる。
スキャナ５０で読み取った画像を前編集部６１０ａで編集処理してプロッタ５５０とＩ／Ｏポート６７の両方に入力できるように画像転送経路を決定した場合には、スキャナ５０に原稿の画像を読み取らせて前編集部６１０ａに編集処理を行わせ、その編集した画像を画像メモリ６６に一時的に記憶させた後読み出し、プロッタ５５０に転送して印刷出力を行わせると共に、Ｉ／Ｏポート６７によってネットワークＮ経由で先に設定した送信先へ送信させる。
【０１２１】
図２２に示すようにスキャナ５０で読み取った画像（原稿画像）をプロッタ５５０（印刷出力）と画像メモリ６６（蓄積）の両方に入力できるように、且つプロッタ５５０に入力する画像を後編集部６１０ｂで編集処理（例えば変倍処理）できるように画像転送経路を決定した場合には、図２３，図２５に示すようにスキャナ５０に原稿の画像を読み取らせ、その画像を画像メモリ６６に蓄積させると共に、その画像を読み出して後編集部６１０ｂに編集処理（例えば後変倍処理）を行わせた後、プロッタ５５０に転送して印刷出力を行わせる。なお、原稿画像を画像メモリ６６に蓄積する場合には、原稿画像を変倍処理する場合、その原稿画像を他のジョブで再利用することを考慮して、後編集部６１０ｂで電気的に変倍処理を行うとよい。
【０１２２】
画像メモリ６６内の画像を後編集部６１０ｂで編集してプロッタ５５０とＩ／Ｏポート６７の両方に入力できるように画像転送経路を決定した場合には、画像メモリ６６内の画像を読み出して後編集部６１０ｂに編集処理を行わせた後、プロッタ５５０に転送して印刷出力を行わせると共に、Ｉ／Ｏポート６７によってネットワークＮ経由で先に設定した送信先へ送信させる。
【０１２３】
なお、原稿画像，蓄積画像，受信画像のうちの少なくとも２つが入力画像、例えば原稿画像と蓄積画像が入力画像として指定され、且つそれらの入力画像を合成するモードが編集モードとして指定され、ロジック判定処理でスキャナ５０で読み取った画像と画像メモリ６６内の画像を後編集部６１０ｂで合成してプロッタ５５０とＩ／Ｏポート６７の両方に入力できるように画像転送経路を決定した場合に、スキャナ５０に原稿の画像を読み取らせて画像メモリ６６に一時的に記憶させ、その画像と画像メモリ６６に蓄積されている他の画像を読み出す際に後編集部６１０ｂに同一フォーマットで合成させ、その合成画像をプロッタ５５０に転送して印刷出力を行わせると共に、Ｉ／Ｏポート６７によってネットワークＮ経由で設定した送信先へ送信させることもできる。
【０１２４】
このように、第３実施例によれば、デジタル複合機のメインコントローラが、操作画面上の１回のキー操作によって指定された入力画像と出力形式と編集モードの組み合わせに応じて、画像処理部であるスキャナ，前編集部，後編集部，画像メモリ，Ｉ／Ｏポート，プロッタのうち、使用する少なくとも３つの画像処理部（前編集部又は後編集部を含む）を選択すると共に画像転送経路を決定し、その選択した各画像処理部を決定した画像転送経路に基づいて使用することにより所要の処理画像を出力させるので、デジタル複合機から編集処理を施した所要の処理画像（複数の処理画像）を出力させる際の操作が簡単になり、デジタル複合機の使い勝手が向上する。
【０１２５】
また、原稿画像を画像メモリに蓄積させた場合、その後ユーザが入力画像として蓄積画像を指定し、出力形式して印刷出力を指定することにより、デジタル複合機のメインコントローラが、画像メモリおよびプロッタを選択すると共に画像転送経路を決定し、画像メモリ内の画像をプロッタによって出力させるため、一度印刷出力した原稿画像をスキャナによって再度読み取らせる必要がなくなる。つまり、一度印刷出力した原稿画像を再利用できるため、業務効率の向上につながる。
さらに、デジタル複合機のメインコントローラが、指定された入力画像と出力形式を示す情報を操作画面上に白黒反転表示すると共に、指定された編集モードの設定内容を操作画面上に表示するので、意図しない処理画像の出力を確実に回避することもできる。
【０１２６】
さらにまた、指定された入力画像と出力形式と編集モードの組み合わせに応じて前編集部による編集処理あるいは後編集部による編集処理を自動選択することにより、所要の画像を効率よく出力することができる。例えば、原稿画像が入力画像として指定され且つ画像変倍に関するモードが指定され且つ印刷出力のみが出力形式として指定された場合には前編集部を選択すれば、例えば図２４に示したように印刷出力のみ行う原稿画像（単なるコピーの画像）は画像メモリに入力される前に変倍処理されることになるため、その変倍が縮小変倍であれば画像メモリからプロッタへの画像転送時間が短くなり、コピー時間が短縮する。原稿画像が入力画像として指定され且つ画像変倍に関するモードが指定され且つ蓄積が出力形式として指定された場合には後編集部を選択すれば、図２５に示したように蓄積と印刷出力を行う原稿画像は画像メモリから読み出す際に変倍処理されることになるため、画像メモリに蓄積される原稿画像は等倍となり、他のジョブで再利用しやすくなる。
【０１２７】
〔第４実施例〕
図２６は、このデジタル複合機１のメインコントローラ２０によるこの発明に関わる制御の第３例を示すフローチャートである。
図２７は、設定ＮＧ（集約モードが使用できない旨）のメッセージを含む操作画面の一例を示す図である。
図２８は、このデジタル複合機１の制御系のユーザ視点で見た場合のこの発明に関わる更に他の要部構成例を画像転送経路の更に他の例と共に示す機能ブロック図であり、図２２と同じ部分には同一符号を付している。
【０１２８】
第４実施例は、図１８等によって説明した第３実施例にユーザ認証処理等の新たな処理を追加したものであるため、再び図１８を参照する。
このデジタル複合機１のメインコントローラ２０は、図３に示した操作部３０のキー操作により、デジタル複合機１を使用可能な複数のユーザをそれぞれ識別するためのユーザＩＤ（ユーザ識別情報）や、各画像処理部（および各編集モード）毎の使用可／不可を示す制限情報を入力したり、各ユーザＩＤと各画像処理部毎に使用可／不可を示す制限情報とを対応付けて図６のＮＶ−ＲＡＭ７４に記憶保持させることができる。
【０１２９】
このデジタル複合機１のメインコントローラ２０は、電源投入時等の所定タイミング時にステップＳ５１でユーザ認証処理を行う。つまり、操作部３０の液晶タッチパネル３１上にユーザＩＤを入力するための操作画面（ユーザＩＤ入力画面）を表示する。そして、操作部３０のキー操作によってユーザＩＤが入力され、それと予め登録された（ＮＶ−ＲＡＭ７４に記憶保持された）各ユーザＩＤのいずれかと一致した場合にのみ、デジタル複合機１の使用を許可してステップＳ５２へ進む。
【０１３０】
ステップＳ５２では、ロジック制限判定処理を行う。つまり、先に入力されたユーザＩＤとＮＶ−ＲＡＭ７４内の制限情報とを比較することにより、各画像処理部毎の使用可／不可を判定する。
その後、ステップＳ５３で画像出力制御（図１８参照）を行う。
但し、ステップＳ２２では、スキャナ５０が使用可と判定していた場合にスキャナ５０を選択するが、スキャナ５０が使用不可と判定していた場合にはスキャナ５０の選択を禁止して、その旨を操作画面上に表示する。
【０１３１】
ステップＳ２５では、画像メモリ６６が使用可と判定していた場合に画像メモリ６６を選択するが、画像メモリ６６が使用不可と判定していた場合には画像メモリ６６の選択を禁止して、その旨を操作画面上に表示する。
ステップＳ２７では、Ｉ／Ｏポート６７が使用可と判定していた場合にＩ／Ｏポート６７を選択するが、Ｉ／Ｏポート６７が使用不可と判定していた場合にはＩ／Ｏポート６７の選択を禁止して、その旨を操作画面上に表示する。
ステップＳ２９では、プロッタ５５０が使用可と判定していた場合にプロッタ５５０を選択するが、プロッタ５５０が使用不可と判定していた場合にはプロッタ５５０の選択を禁止して、その旨を操作画面上に表示する。
【０１３２】
ステップＳ３１では、変倍モード（前編集部６１０ａ又は後編集部６１０ｂの変倍処理機能）が使用可と判定していた場合に、変倍モードが指定された場合に前編集部６１０ａ又は後編集部６１０ｂを選択するが、変倍モードが使用不可と判定していた場合には、変倍モードが指定された場合に前編集部６１０ａ又は後編集部６１０ｂの変倍処理機能の選択を禁止して、変倍モードの使用禁止を操作画面上に表示する。
移動モード（前編集部６１０ａ又は後編集部６１０ｂの移動処理機能）が使用可と判定していた場合に、移動モードが指定された場合に前編集部６１０ａ又は後編集部６１０ｂを選択するが、移動モードが使用不可と判定していた場合には、移動モードが指定された場合に前編集部６１０ａ又は後編集部６１０ｂの移動処理機能の選択を禁止して、移動モードの使用禁止を操作画面上に表示する。
【０１３３】
集約モード（前編集部６１０ａ又は後編集部６１０ｂの集約処理機能）が使用可と判定していた場合に、集約モードが指定された場合に前編集部６１０ａ又は後編集部６１０ｂを選択するが、集約モードが使用不可と判定していた場合には、集約モードが指定された場合に前編集部６１０ａ又は後編集部６１０ｂの集約処理機能の選択を禁止して、集約モードの使用禁止を操作画面上に表示する。例えば、図２７に示すような「集約モードは制限されています」のメッセージを操作画面上に表示する。
【０１３４】
ステップＳ３４では、画像メモリ６６が使用可と判定していた場合に画像メモリ６６を選択するが、画像メモリ６６が使用不可と判定していた場合には画像メモリ６６の選択を禁止して、その旨を操作画面上に表示する。
ステップＳ３８では、Ｉ／Ｏポート６７が使用可と判定していた場合にＩ／Ｏポート６７を選択するが、Ｉ／Ｏポート６７が使用不可と判定していた場合にはＩ／Ｏポート６７の選択を禁止して、その旨を操作画面上に表示する。
【０１３５】
なお、図２８では、斜線を施して示している受信画像と送信に対応するＩ／Ｏポート６７、前編集部６１０ａおよび後編集部６１０ｂの移動処理機能と集約処理機能が制限されている場合の画像転送経路のイメージを示している。
第４実施例によれば、第３実施例と同様の効果を得ることができる。また、ユーザ毎に各画像処理部（機能）の使用制限があるため、ユーザ毎に最適な処理画像を出力することができる。
【０１３６】
以上、この発明をデジタル複合機に適用した実施形態について説明したが、この発明はこれに限らず、デジタル複写機，ファクシミリ装置等の他の画像処理装置にも適用可能である。
この発明によるプログラムは、画像処理装置を制御するコンピュータ（ＣＰＵ）に、この発明による各種機能、つまり入力画像指定手段，出力形式指定手段，選択決定手段，制御手段（編集手段，前編集制御手段，後編集制御手段，編集制御選択手段），情報表示手段，編集モード指定手段，使用可／不可判別手段，使用禁止手段，報知手段），およびユーザ識別情報入力手段としての機能を実現させるためのプログラムであり、このようなプログラムをコンピュータに実行させることにより、上述したような効果を得ることができる。
【０１３７】
このようなプログラムは、はじめからＲＯＭあるいはＨＤＤ等の記憶手段に格納しておいてもよいが、記録媒体であるＣＤ−ＲＯＭあるいはフレキシブルディスク，ＳＲＡＭ，ＥＥＰＲＯＭ，メモリカード等の不揮発性記録媒体（メモリ）に記録して提供することもできる。そのメモリに記録されたプログラムをコンピュータに実行させるか、コンピュータにそのメモリからこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【０１３８】
以上の説明から明らかなように、この発明によれば、ユーザが簡単な操作を１回行うだけで画像処理装置から所要の処理画像（複数の処理画像）を出力させることができる。したがって、この発明を利用すれば、１回の簡単な操作で所要の処理画像を出力可能な画像処理装置や、画像処理装置を制御するコンピュータを提供することができる。
【図面の簡単な説明】
【０１３９】
【図１】この発明による画像処理装置であるデジタル複合機を使用するネットワーク環境の一例を示す図である。
【図２】この発明に使用する画像処理装置であるデジタル複合機の機構部の構成例を示す図である。
【図３】図２に示したデジタル複合機の操作部の構成例を示すレイアウト図である。
【図４】図２に示したデジタル複合機の制御系の概略構成を示すブロック図である。
【図５】図４のＲＯＭ２０２内のプログラムの要部構成例を示すブロック図である。
【０１４０】
【図６】図５の画像処理ユニット（ＩＰＵ）の内部構成を示すブロック図である。
【図７】図６のセレクタにおける１ページ分の画像データおよび制御信号の一例を示すタイミング図である。
【図８】図４に示したメインコントローラによるこの発明に関わる制御の第１例を示すフロー図である。
【図９】図２に示したデジタル複合機から所要の処理画像を出力させる際の操作手順を説明するための操作画面の第１例を示す図である。
【図１０】同じく操作画面の第２例を示す図である。
【０１４１】
【図１１】同じく操作画面の第３例を示す図である。
【図１２】同じく操作画面の第４例を示す図である。
【図１３】同じく操作画面の第５例を示す図である。
【図１４】同じく操作画面の第６例を示す図である。
【図１５】同じく操作画面の第７例を示す図である。
【０１４２】
【図１６】図２に示したデジタル複合機の制御系のユーザ視点で見た場合のこの発明に関わる要部構成例を画像転送経路の一例と共に示す機能ブロック図である。
【図１７】同じく制御系のシステム視点で見た場合のこの発明に関わる要部構成例を示す機能ブロック図である。
【図１８】図４に示したメインコントローラによるこの発明に関わる制御の第２例を示すフロー図である。
【図１９】図２に示したデジタル複合機の制御系のユーザ視点で見た場合のこの発明に関わる他の要部構成例を画像転送経路の一例と共に示す機能ブロック図である。
【図２０】同じく制御系のシステム視点で見た場合のこの発明に関わる他の要部構成例を示す機能ブロック図である。
【０１４３】
【図２１】同じく制御系のユーザ視点で見た場合のこの発明に関わる更に他の要部構成例を画像転送経路の一例と共に示す機能ブロック図である。
【図２２】同じく制御系のユーザ視点で見た場合のこの発明に関わる更に他の要部構成例を画像転送経路の他の例と共に示す機能ブロック図である。
【図２３】同じく制御系のシステム視点で見た場合のこの発明に関わる更に他の要部構成例を示す機能ブロック図である。
【図２４】同じく制御系による前変倍処理を含む画像出力処理を説明するための説明図である。
【図２５】同じく制御系による後変倍処理を含む画像出力処理を説明するための説明図である。
【０１４４】
【図２６】図４に示したメインコントローラによるこの発明に関わる制御の第３例を示すフロー図である。
【図２７】図３の液晶タッチパネルに表示される設定ＮＧのメッセージを含む操作画面の一例を示す図である。
【図２８】図２に示したデジタル複合機の制御系のユーザ視点で見た場合のこの発明に関わる更に他の要部構成例を画像転送経路の更に他の例と共に示す機能ブロック図である。
【図２９】従来の画像処理装置で使用されているプログラムの要部構成例を示すブロック図である。
【図３０】同じく操作部の構成例を示すレイアウト図である。
【図３１】同じくメインコントローラによる画像出力制御とユーザ操作の概略例を示すフロー図である。
【符号の説明】
【０１４５】
１：デジタル複合機（画像形成装置）    １Ａ：装置本体    １Ｂ：自動原稿送り装置
１Ｃ：フィニッシャ    ７：原稿セット検知センサ    ８，９，１０：第１〜第３トレイ１４：縦搬送ユニット    １５：感光体    １６：搬送ベルト    １７：定着ユニット
１８：排紙ユニット    ２０：メインコントローラ    ２１：中間クラッチ
２２〜２４：第１〜第３給紙クラッチ    ２５：メインモータ    ２６：搬送モータ
２７：現像ユニット    ３０：操作部    ３１：液晶タッチパネル    ３２：テンキー
３３：スタートキー    ４０：画像処理ユニット（ＩＰＵ）    ５０：スキャナ
【０１４６】
５４：ＣＣＤイメージセンサ    ５７：書き込みユニット    ６１：Ａ／Ｄコンバータ
６２：シェーディング補正部    ６３：ＭＴＦ・γ補正部    ６４：セレクタ
６５：画像メモリコントローラ    ６６：画像メモリ    ６７：Ｉ／Ｏポート
６８：ＣＰＵ    ６９：ＲＯＭ    ７１：印字合成部    ７２：ＣＰＵバス
７３：ＲＡＭ    ７４：ＮＶ−ＲＡＭ    ７５：ハードディスク
７６：印字イメージデータ発生装置    ７７：変倍回路    ３１０：入力画像指定部
３１１：原稿画像キー    ３１２：蓄積画像キー    ３１３：受信画像キー
３２０：出力形式指定部    ３２１：印刷キー    ３２２：蓄積キー
３２３：送信キー    ５５０：プロッタ    ６００：入力部    ６１０：編集部
６１０ａ：前編集部    ６１０ｂ：後編集部    ６２０：出力部
【図１】
2007049252.tif 000003
【図２】
2007049252.tif 000004
【図３】
2007049252.tif 000005
【図４】
2007049252.tif 000006
【図５】
2007049252.tif 000007
【図６】
2007049252.tif 000008
【図７】
2007049252.tif 000009
【図８】
2007049252.tif 000010
【図９】
2007049252.tif 000011
【図１０】
2007049252.tif 000012
【図１１】
2007049252.tif 000013
【図１２】
2007049252.tif 000014
【図１３】
2007049252.tif 000015
【図１４】
2007049252.tif 000016
【図１５】
2007049252.tif 000017
【図１６】
2007049252.tif 000018
【図１７】
2007049252.tif 000019
【図１８】
2007049252.tif 000020
【図１９】
2007049252.tif 000021
【図２０】
2007049252.tif 000022
【図２１】
2007049252.tif 000023
【図２２】
2007049252.tif 000024
【図２３】
2007049252.tif 000025
【図２４】
2007049252.tif 000026
【図２５】
2007049252.tif 000027
【図２６】
2007049252.tif 000028
【図２７】
2007049252.tif 000029
【図２８】
2007049252.tif 000030
【図２９】
2007049252.tif 000031
【図３０】
2007049252.tif 000032
【図３１】
2007049252.tif 000033